(57)【要約】  本発明の教示は、一般的には、例えば、ネットワークまたは公共の場を介して提出される一群のランダムなバーチャル提出物から得られる、一般人からの選出バーチャル提出物を含む、派生的な芸術作品を創作する方法に関する。本教示は、バーチャルスタジオ、すなわち一般人からのバーチャル演奏を含む、派生的マルチトラック音楽作品を創作する方法を対象とする。【選択図】図４
2013542480.tif 000002
【特許請求の範囲】
【請求項１】
一般人からのバーチャル演奏を含む、派生的マルチトラック音楽作品を創作する方法であって、
それぞれが調整要素と位置合わせされている複数のオーディオトラックを含む、音楽作品用の参照ファイルを作成するステップ、
ネットワーク上で、ランダムなバーチャル演奏者に前記参照ファイルを供給するステップ、および
一般人からの選出バーチャル演奏を有する、前記派生的マルチトラック音楽作品を展開するステップであって、
一群のランダムなバーチャル演奏を前記ランダムなバーチャル演奏者から取得するサブステップであって、前記一群のバーチャル演奏における各バーチャル演奏が、（ｉ）前記参照ファイルの伴奏なしで、調整要素と位置合わせされて、派生トラックを演奏するバーチャル演奏者を有する派生トラック、および（ｉｉ）前記参照ファイルの伴奏付きの前記派生トラックを演奏する前記バーチャル演奏者を有する参照ミックストラックを含む、前記サブステップ、
前記一群のランダムなバーチャル演奏から前記選出バーチャル演奏を選択するサブステップ、および
前記選出バーチャル演奏を、前記派生的マルチトラック音楽作品に変換するサブステップを含む、
前記展開するステップを含み、
（ｉｉｉ）前記バーチャル演奏者によるランダムなバーチャル演奏を評価者に伝送することと、（ｉｖ）前記評価者により前記バーチャル演奏を評価することの間には遅延があり、該遅延は、ライブオーディオ伝送の送受信に関連する通常の遅延を実質的に超えるので、前記ランダムなバーチャル演奏はリアルタイム演奏ではない、前記方法。
【請求項２】
供給するステップは、選出バーチャル演奏に望まれる基準に合致する方法において、ランダムなバーチャル演奏者に解説することを含む、請求項１に記載の方法。
【請求項３】
調整要素が、メトロノームトラックを含む、請求項１に記載の方法。
【請求項４】
ネットワークが、ハンドヘルド型ワイヤレスデバイスによってアクセス可能である、請求項１に記載の方法。
【請求項５】
一群のランダムなバーチャル演奏が、バーチャル演奏者が単一の演奏者からなるように、個人演奏を含む、請求項１に記載の方法。
【請求項６】
一群のランダムなバーチャル演奏が、バーチャル演奏者が複数の演奏者からなるように、グループ演奏を含む、請求項１に記載の方法。
【請求項７】
音楽作品への一般人の関心を創起する方法であって、
それぞれが調整要素と位置合わせされている複数のオーディオトラックを含む、音楽作品用の参照ファイルを作成するステップ；
ランダムなバーチャル演奏者に対して、選出バーチャル演奏を含む派生的マルチトラック音楽作品に挿入るために、バーチャル演奏を提出する機会を公開提供をするステップであって、前記ランダムなバーチャル演奏者に公共の場を介して前記参照ファイルを供給することを含み、選出バーチャル演奏者が考慮対象とされる、前記公開するステップ；
前記派生的マルチトラック音楽作品を展開するステップであって、
一群のランダムなバーチャル演奏を前記ランダムなバーチャル演奏者から取得するサブステップであって、前記一群のバーチャル演奏における各バーチャル演奏が、（ｉ）前記参照ファイルの伴奏なしで、調整要素と位置合わせされて、派生トラックを演奏するバーチャル演奏者を有する派生トラック、および（ｉｉ）前記参照ファイルの伴奏付きで前記派生トラックを演奏する前記バーチャル演奏者を有する参照ミックストラックを含む、前記サブステップ、
前記一群のランダムなバーチャル演奏から前記選出バーチャル演奏を選択するサブステップ、および
前記選出バーチャル演奏を、前記派生的マルチトラック音楽作品に変換するサブステップを含む、
前記展開するステップを含み、
（ｉｉｉ）前記バーチャル演奏者によるランダムなバーチャル演奏を評価者に伝送することと、（ｉｖ）前記評価者により前記バーチャル演奏を評価することの間には遅延があり、該遅延は、ライブオーディオ伝送の送受信に関連する通常の遅延を実質的に超えるので、前記ランダムなバーチャル演奏はリアルタイム演奏ではない、前記方法。
【請求項８】
供給するステップは、選出バーチャル演奏に望まれる基準に合致する方法において、ランダムなバーチャル演奏者に解説することを含む、請求項７に記載の方法。
【請求項９】
調整要素が、メトロノームトラックを含む、請求項７に記載の方法。
【請求項１０】
場が、テレビジョン放送を含む、請求項７に記載の方法。
【請求項１１】
場が、ラジオ放送を含む、請求項７に記載の方法。
【請求項１２】
場が、衛星放送を含む、請求項７に記載の方法。
【請求項１３】
場がコンピュータネットワークによって設けられる、請求項７に記載の方法。
【請求項１４】
場が、コンピュータネットワークに結合される、請求項７に記載の方法。
【請求項１５】
場が、ハンドヘルド型ワイヤレスデバイスによってアクセス可能である、請求項７に記載の方法。
【請求項１６】
考慮には、音楽作品の創作において、人気アーチストの営業権と提携することが含まれる、請求項７に記載の方法。
【請求項１７】
一群のランダムな演奏が、バーチャル演奏者が単一の演奏者からなるように、個人演奏を含む、請求項７に記載の方法。
【請求項１８】
一群のランダムな演奏が、バーチャル演奏者が複数の演奏者からなるように、グループ演奏を含む、請求項７に記載の方法。
【請求項１９】
人気アーチストとのバーチャル演奏を一般人に提供することにより、音楽アーチストへの一般人の関心を創起する方法であって、
公共の場を介して人気アーチストにバーチャル提出を行う機会を、一般人に提供することによって、一般人からランダムな音楽演奏を大規模に引き寄せるステップであって、前記提供することは、選出バーチャル演奏者として選択された場合には、人気アーチストとの音楽作品の創作を介して、前記人気アーチストの営業権と提携することを含む、前記ステップ、
前記音楽作品用の参照ファイルを取得するステップであって、前記参照ファイルは、それぞれが調整要素と位置合わせされている複数のオーディオトラックを含む、前記ステップ、
公共の場を介して、ランダムなバーチャル演奏者に前記参照ファイルを供給するステップ、および
派生的マルチトラック音楽作品を展開するステップであって、
一群のランダムなバーチャル演奏を前記ランダムなバーチャル演奏者から取得するサブステップであって、前記一群のバーチャル演奏における各バーチャル演奏が、（ｉ）前記参照ファイルの伴奏なしで、調整要素と位置合わせされて、派生トラックを演奏するバーチャル演奏者を有する派生トラック、および（ｉｉ）前記参照ファイルの伴奏付きで前記派生トラックを演奏する前記バーチャル演奏者を有する参照ミックストラックを含む、前記サブステップ、
前記一群のランダムなバーチャル演奏から前記選出バーチャル演奏を選択するサブステップ、および
前記選出バーチャル演奏を、前記派生的マルチトラック音楽作品に変換するサブステップを含む、
前記展開するステップを含み、
（ｉｉｉ）前記バーチャル演奏者によるランダムなバーチャル演奏を評価者に伝送することと、（ｉｖ）前記評価者により前記バーチャル演奏を評価することの間には遅延があり、該遅延は、ライブオーディオ伝送の送受信に関連する通常の遅延を実質的に超えるので、前記ランダムなバーチャル演奏はリアルタイム演奏ではない、前記方法。
【請求項２０】
供給するステップは、選出バーチャル演奏に望まれる基準に合致する方法において、ランダムなバーチャル演奏者に解説することを含む、請求項１９に記載の方法。
【請求項２１】
調整要素が、メトロノームトラックを含む、請求項１９に記載の方法。
【請求項２２】
場が、テレビジョン放送を含む、請求項１９に記載の方法。
【請求項２３】
場が、ラジオ放送を含む、請求項１９に記載の方法。
【請求項２４】
場が、衛星放送を含む、請求項１９に記載の方法。
【請求項２５】
場が、ネットワークによって設けられる、請求項１９に記載の方法。
【請求項２６】
場が、ネットワークに結合される、請求項１９に記載の方法。
【請求項２７】
場が、ハンドヘルド型ワイヤレスデバイスによってアクセス可能である、請求項１に記載の方法。
【請求項２８】
一群のランダムな演奏が、選出バーチャル演奏者が単一の演奏者からなるように、個人演奏を含む、請求項１９に記載の方法。
【請求項２９】
一群のランダムな演奏が、選出バーチャル演奏者が複数の演奏者からなるように、グループ演奏を含む、請求項１９に記載の方法。
【請求項３０】
バーチャルレコーディングスタジオであって、
コンピュータ可読記憶媒体内に具現化されるとともに、公共の場を介してランダムなバーチャル演奏を人気アーチストに提出する機会を提供する動作が可能である、提供モジュールであって、前記提供することは、選出バーチャル演奏者として選択された場合には、人気アーチストとの音楽作品の創作を介して、前記人気アーチストの営業権と提携することを含む、前記提供モジュール、
コンピュータ可読記憶媒体内に具現化されるとともに、公共の場を介してランダムなバーチャル提出を行うための基準に関して、ユーザに対するバーチャル解説を行う動作が可能である、解説モジュール、
個人化した本人プロフィールをユーザがコンピュータシステムに入力することを可能にする入力装置であって、前記個人化された本人プロフィールが、ユーザ用の個人化ファイルを生成するのに使用される情報を取得するように設計された質問票を含む、前記入力装置、
コンピュータ可読記憶媒体内に具現化されるとともに、マルチトラック音楽作品用の参照ファイルを含む、音楽ライブラリを記憶する動作が可能である、音楽データベース、
コンピュータ可読記憶媒体内に具現化されるとともに、個人化された本人プロフィールを受け取り、該個人化された本人プロフィールをバーチャル演奏者プロフィールに変換する動作が可能である、本人プロフィールモジュールであって、バーチャル演奏者プロフィールは、ユーザからのバーチャル演奏を含むとともに、選出されたアーチストの本人識別；調整要素を有する選出されたマルチトラック音楽作品用の参照ファイル；ユーザによって作成される派生トラック；およびユーザによって作成される参照ミックストラックを含む、前記本人プロフィールモジュール、
コンピュータ可読記憶媒体内に具現化されるとともに、ユーザがアーチストおよび参照ファイルを選択するのに応答して、音楽データベース内の音楽をオーディオトラックステムに構文解析する動作が可能である、ソリューションモジュール、
コンピュータ可読記憶媒体内に具現化されるとともに、調整要素を使用して、派生トラックを参照ファイルと共に編集する動作、および自動化予備スクリーニングとしてランダムなバーチャル演奏を却下するために、派生トラック内の欠陥を識別する動作が可能である、統合化エンジン、
プロセッサ、および
ユーザに対してビデオ、オーディオ、および／またはテキストを表示するグラフィックユーザインターフェイス
を含む、前記バーチャルレコーディングスタジオ。
【請求項３１】
ユーザのプライバシ、データの完全性、または両方を保護するセキュリティ手段をさらに含む、請求項３０に記載のスタジオ。
【請求項３２】
調整要素が、メトロノームトラックを含む、請求項３０に記載の方法。
【請求項３３】
スタジオが、ネットワークによって設けられる、請求項３０に記載の方法。
【請求項３４】
スタジオが、ネットワークに結合される、請求項３０に記載の方法。
【請求項３５】
スタジオが、ハンドヘルド型ワイヤレスデバイスによってアクセス可能である、請求項３０に記載の方法。
【請求項３６】
コンピュータ可読記憶媒体内に具現化されて、バーチャル演奏者プロフィールを自動予備スクリーニングとマッチングさせて、ユーザに自動化状態レポートを供給する、応答モジュールをさらに含む、請求項３０に記載のスタジオ。
【請求項３７】
音楽作品であって、
一般人からの一群のランダムなバーチャル演奏からの選出バーチャル演奏を含む、マルチトラック派生音楽作品を含み、
前記選出バーチャル演奏は、公共の場を介して人気アーチストにバーチャル提出を行う機会を一般人に提供することによって取得された、一般人からの大規模な音楽演奏の評価を含む工程から取得され、前記提供することは、選出バーチャル演奏者として選択された場合には、人気アーチストとの音楽作品の創作を介して、該人気アーチストの営業権と連携することを含み、前記評価することは、（ｉ）複数のオーディオトラック、および調整要素を含む、音楽作品用の参照ファイルを取得すること、および（ｉｉ）公共の場を介して、ランダムなバーチャル演奏者に前記参照ファイルを供給すること、を含む工程を含み、
前記マルチトラック派生的音楽作品は、
一群のランダムなバーチャル演奏を前記ランダムなバーチャル演奏者から取得するステップであって、前記一群のバーチャル演奏における各バーチャル演奏が、（ｉ）参照ファイルの伴奏なしで、調整要素と位置合わせされて、派生トラックを演奏するバーチャル演奏者を有する派生トラック、および（ｉｉ）前記参照ファイルの伴奏付きの前記派生トラックを演奏する前記バーチャル演奏者を有する参照ミックストラックを含む、前記ステップ、
前記一群のランダムなバーチャル演奏から前記選出バーチャル演奏を選択するステップ、および
前記選出バーチャル演奏を、前記派生的マルチトラック音楽作品に変換するステップを含む、工程を使用して展開され、
（ｉｉｉ）前記バーチャル演奏者によるランダムなバーチャル演奏を評価者に伝送することと、（ｉｖ）前記評価者により前記バーチャル演奏を評価することの間には遅延があり、該遅延は、ライブオーディオ伝送の送受信に関連する通常の遅延を実質的に超えるので、前記ランダムなバーチャル演奏はリアルタイム演奏ではない、前記音楽作品。
【請求項３８】
供給するステップは、選出バーチャル演奏に望まれる基準に合致する方法において、ランダムなバーチャル演奏者に解説することを含む、請求項３７に記載の音楽作品。
【請求項３９】
調整要素が、メトロノームトラックを含む、請求項３７に記載の方法。
【請求項４０】
場が、ネットワークによって設けられる、請求項３７に記載の音楽作品。
【請求項４１】
場が、ネットワークに結合される、請求項３７に記載の音楽作品。
【請求項４２】
場が、ハンドヘルド型ワイヤレスデバイスによってアクセス可能である、請求項３７に記載の方法。
【請求項４３】
一群のランダムな演奏が、選出バーチャル演奏者が単一の演奏者からなるように、個人演奏を含む、請求項３７に記載の音楽作品。
【請求項４４】
一群のランダムな演奏が、選出バーチャル演奏者が複数の演奏者からなるように、グループ演奏を含む、請求項３７に記載の音楽作品。
【発明の詳細な説明】
【技術分野】
【０００１】
本教示は、一般的には、ネットワークを介して提出される一群のランダムなバーチャル演奏から得られる、一般人からの選出されたバーチャル演奏を含む、派生的マルチトラック音楽作品を創作する方法に関する。
【背景技術】
【０００２】
ほとんどの人の間で共有されている夢は、スター、有名人、または少なくともなんらかの賞賛を受ける資格のある熟達した芸術家になるというものである。残念なことに、ほとんどの才能のある人々は認められることがない、というのはこれらの人々の多くは適切な人々への適切なツテ（connections）、適切な時間に適切な場所にいるという能力、または適切な場所における適切な人々に会うための適当な量の時間とお金をもたないためである。実際に、それはまったくの決まり文句となっている。少なくともこのような理由から、多くの非常に才能のある人々は、その才能についての１回の真剣な評価の機会を得ることもなく、夢をあきらめなくてはならない。
【０００３】
大方の人々は、社会が一種の「情報過多」、すなわち情報やエンターテインメントが、世界中で、ほとんどどのような場所からでも、ほとんど瞬時に、かってないレベルで、ほとんど誰にでも入手可能である状態、に達していることに同意するであろう。また大方の人は、このような情報過多は、主として、インターネット、すなわちアイデア、事実、および芸術的表現の共有における技術的かつ文化的な進化に他ならない、世界中の通信における新パラダイム、の指数関数的な成長によるものであることにも同意するであろう。世界中で楽しまれている芸術的表現の１つの形態は音楽であり、これは我々の文化において世代にわたって受け継がれてきた楽しみである。
【０００４】
インターネットは、例えば、ファイルシェアリングによる、著作権侵害によって、従来型の音楽販売を死滅させた。統一の取れない状況が形成されて、それは、圧倒的な量のエンターテインメント選択を提供し、このような統一の取れない状況によって、最も熟達した、よいツテのあるアーチストでさえも注目を集めることがほとんど不可能になる。従来型のラジオは、１時間当たり平均２０分のコマーシャル時間、それに加えて、最も名声を得たアーチストでさえもローテーションに加えられるのが不可能に近くなる、短縮された曲目リストによって、平均的な聴取者の興味を失わせた。大衆への露出（mass exposure）を果たすのに長期にわたり好まれた方法であるテレビは、かつては１９８０年から２０００年の間の音楽カルチャーの主たる推進役の１つであったＭＴＶが、もはや音楽ビデオを放送しないように、もはや魅力的な選択肢ではない。これらの複合化された要因によって、音楽業界の売り上げはおびただしく減少し、アーチストには、レコーディングをするための資金がわずかしか残らず、新しい音楽を創作して売り出そうという動機が低下することになった。
【０００５】
少なくとも上記の理由で、既存のアーチストの作品における一般人の関心を発展させるとともに、新しいタレントを見出して展開するという従来式の方法が、今日の世界では、もはやうまく機能しないために、音楽業界は、資金的に大きな打撃を受けた。新しいビジネスモデルが、音楽業界には必要であり、それは、広範で、コスト効率の高い、インターネットの高い勢力範囲を使用する、新しいパラダイムである。このモデルは、公共の場を介して大衆に迅速に接触する、インターネットの信じがたいような浸透性と速度を使用して、既存のタレントについての、一般人の関心を再獲得、強化、そして構築するともに、それに加えて新しいタレントを見出して展開する上でもそれを使用すべきである。また、そのようなモデルは、新しい音楽ファンを創出し、それらのファンを教育するとともに楽しませ、世界中の音楽芸術への関心を増大させることによって、音楽業界の継続的な成長を支援しなくてはならない。さらに、そのようなモデルは、音楽業界の伝統的な制約によって、スターになるという夢を諦めなくてはならないと考えていた人々に、その夢を取り戻させることも可能である。
【０００６】
上記で考察した問題に対する解決策の一部は、タレントを見出して展開するのに付随するコストを低減することを含むべきである。そのようなコストの多くは、例えば、ファンを、マルチトラックマスタの創作に参加させて、さらにそのホームスタジオから、さらに業界を振興させることによって、低減することができる。このようにして、参加するファンは、自然に無料のマーケティングの手段となり、だれもが、その機会と創作について興奮して、レコーディング工程全体において、多くの形態の社会メディアを通してうわさをウィルスのように広める。本明細書において提示する教示は、ファンに対してはレコーディング工程に参加する手段を、アーチストに対しては新しい音楽が完成する前の認識を高めるさせるとともに、自身の音楽スキルを促進する手段を提供する。
【０００７】
そこで、音楽業界における当業者であれば、業界における発展を強化し推進するインターネットのパワーを利用する方法を持てることを評価するであろう。この方法は、すべてのアーチストに対して、すでに持っていることの多い同一の接続、すなわちインターネット接続を介して、それらのアーチストのタレントについての少なくとも１回の本格的な評価の機会が与えられる可能性がある。ここで提示する教示は、この目的：（ｉ）世界中、国中、州全域、または地域的であれ、インターネットアクセス可能な単一のフォーラムから、大衆からの提出物に接触、評価、そして管理すること、（ｉｉ）評価と人気アーチストとの音楽作品に挿入する可能性のために、そのフォーラムを介してバーチャル演奏を提出する機会を大衆に提供すること、（ｉｉｉ）大衆に、前記人気アーチストからの参照ファイルを供給すること、（ｉｖ）人気アーチストの営業権を推進し選出バーチャル演奏者と共有すること、（ｖ）選出バーチャル演奏を、派生的マルチトラック音楽作品に変換すること、を達成する唯一の知られている方法を対象としている。世界的に有名なアーチストは、市販用のマルチトラックマスタの創作のためにレコーディング工程に参加させるために、簡単には、彼らの未完成のトラックを大規模に一般大衆に利用可能にはしなかった。したがって、本明細書に提示する教示は、音楽制作の歴史において、その種類の最初のものである、音楽作品の種類を含む。
【発明の概要】
【０００８】
本教示は、一般的には、例えば、ネットワークまたは公共の場を介して提出される一群のランダムなバーチャル提出物から得られる、一般人からの選出バーチャル提出物を含む、派生的な芸術作品を創作する方法に関する。一部の態様において、本教示は、一般人からのバーチャル演奏を含む、派生的マルチトラック音楽作品を創作する方法を対象としている。
【０００９】
本明細書において提示する教示においては、方法は、それぞれが調整要素と位置合わせされている複数のオーディオトラックを含む、音楽作品用の参照ファイルを作成するステップを含むことができる。この方法は、また、コンピュータネットワークのようなネットワーク上で、ランダムなバーチャル演奏者に参照ファイルを供給するステップを含むことができる。一部の態様においては、ネットワークは、ハンドヘルド型ワイヤレスデバイスを介してアクセス可能である。また、この方法は、一般人からの選出バーチャル演奏を有する、派生的マルチトラック音楽作品を展開するステップも含む。
【００１０】
本明細書で提示する教示においては、前記展開するステップは、一群のランダムなバーチャル演奏を前記ランダムなバーチャル演奏者から取得するサブステップであって、前記一群のバーチャル演奏における各バーチャル演奏が、参照ファイルの伴奏なしで、調整要素と位置合わせされて、派生トラックを演奏するバーチャル演奏者を有する派生トラックを含む、前記サブステップを含むことができる。一部の態様においては、調整要素は、メトロノームトラックを含むことができる。そして、前記一群の中の各バーチャル演奏は、参照ファイルの伴奏付きで派生トラックを演奏するバーチャル演奏者を有する、参照ミックストラック（reference-mix track）も含むことができる。
【００１１】
本明細書で教示された方法は、また、前記一群のランダムなバーチャル演奏から、選出バーチャル演奏を選択すること、および前記選出バーチャル演奏を、前記派生的マルチトラック音楽作品に変換すること、も含むことができる。一部の態様においては、バーチャル演奏者によるランダムなバーチャル演奏を評価者に伝送することと、前記評価者により前記バーチャル演奏を評価することの間には遅延があるので、前記ランダムなバーチャル演奏は、リアルタイム演奏ではない。そして、一部の態様においては、この遅延は、ライブオーディオ伝送の送信および受信に付随する、通常の遅延を実質的に超える可能性がある。
【００１２】
本明細書において提示する教示においては、一群のランダムなバーチャル演奏は、バーチャル演奏者が単一の演奏者からなるように個人演奏を含むか、またはバーチャル演奏者が複数の演奏者からなるようにグループ演奏を含むことがきる。さらに、前記提供することは、選出バーチャル演奏に望まれる基準に合致する方法において、ランダムなバーチャル演奏者に解説することを含むことができる。
【００１３】
また、本教示は、音楽作品への一般人の関心を創起する方法も対象とする。これらの態様においては、本方法は、それぞれが調整要素と位置合わせされている複数のオーディオトラックを含む、音楽作品用の参照ファイルを作成することを含むことができる。これらの態様において、本方法は、ランダムなバーチャル演奏者が、選出バーチャル演奏を含む派生的マルチトラック音楽作品に挿入するための、バーチャル演奏を提出する機会を公開提供することを含めることができる。前記の提供は、公共の場を介して、ランダムなバーチャル演奏者へ参照ファイルを供給することを含むことができる。そして、一部の態様においては、選出バーチャル演奏者は、考慮対象とされることができる。この考慮には、例えば、人気アーチストの営業権と提携することを含めることができる。
【００１４】
一部の態様においては、公共の場は、テレビ放送、ラジオ放送、または衛星放送を含む。そして、一部の態様においては、「場」は、コンピュータネットワークによって設けられるか、またはコンピュータネットワークに結合することができる。さらに、この「場」は、一部の態様では、ハンドヘルド型ワイヤレスデバイスによってアクセス可能にすることができる。
【００１５】
また、本教示は、人気アーチストとのバーチャル演奏を一般人に提供することを介して、音楽アーチストへの一般人の関心を創起する方法を対象とする。これらの態様において、本方法は、公共の場を介して人気アーチストにバーチャル提出を行う機会を、一般人に提供することによって、一般人からランダムな音楽演奏を大規模に引き寄せることを含むことができる。この提供することには、選出バーチャル演奏者として選択された場合には、人気アーチストとの音楽作品の創作を介して、前記人気アーチストの営業権と提携することを含めることができる。
【００１６】
また、本教示は、バーチャルレコーディングスタジオも対象としている。これらの態様においては、バーチャルレコーディングスタジオは、例えば、提供モジュール、解説モジュール、入力装置、音楽データベース、本人プロフィールモジュール（subject- profile module）、ソリューションモジュール、統合化エンジン、およびグラフィックユーザインターフェイスを含むことができる。
【００１７】
提供モジュールは、コンピュータ可読記憶媒体内に具現化することができるとともに、公共の場を介してランダムなバーチャル演奏を人気アーチストに提出する機会を提供するように動作させることが可能である。この提供することには、選出バーチャル演奏者として選択された場合には、人気アーチストとの音楽作品の創作を介して、その人気アーチストの営業権と提携することを含めることができる。
【００１８】
解説モジュールは、コンピュータ可読記憶媒体に組み入れることができるとともに、公共の場を介してランダムなバーチャル提出を行うための基準に関して、ユーザに対するバーチャル解説を行うように動作させることが可能である。入力装置は、ユーザが、個人化した本人プロフィールをコンピュータシステムに入力することを可能にする。そして、個人化された本人プロフィールは、ユーザ用の個人化ファイルを生成するのに使用される情報を取得するように設計された、質問票を含むことができる。
【００１９】
音楽データベースは、コンピュータ可読記憶媒体内に具現化することができるとともに、マルチトラック音楽作品用の参照ファイルを含む音楽ライブラリを記憶する動作が可能である。そして、本人プロフィールモジュールは、コンピュータ可読記憶媒体内に具現化することができるとともに、個人化された本人プロフィールを受け取り、個人化された本人プロフィールをバーチャル演奏者プロフィールに変換する動作が可能である。バーチャル演奏者プロフィールは、ユーザからのバーチャル演奏を含むとともに、選出アーチストの本人証明；調整要素を有する選出されたマルチトラック音楽作品用の参照ファイル、または参照ファイルへのリンク；ユーザによって作成される派生トラック；およびユーザによって作成される参照ミックストラックを含むことができる。
【００２０】
ソリューションモジュールは、コンピュータ可読記憶媒体に組み入れることができるとともに、ユーザがアーチストおよび参照ファイルを選出するのに応答して、音楽データベース内の音楽をオーディオトラックステムに構文解析（parsing）する動作が可能である。統合化エンジンは、コンピュータ可読記憶媒体に組み入れることができるとともに、調整要素を使用して、派生トラックを参照ファイルと共に編集する動作が可能である。そして、グラフィックユーザインターフェイスは、ユーザに対してビデオ、オーディオ、および／またはテキストを表示するために使用することができる。勿論のこと、このスタジオはプロセッサを有することになる。
【００２１】
モジュールまたはエンジンのいずれも、追加の機能を備えることができるとともに、追加の機能のために、追加のモジュールおよびエンジンを追加することができる。統合化エンジンは、自動化予備スクリーニングとしてランダムなバーチャル演奏を却下するために、例えば、派生トラック内の欠陥を識別するのにも使用することができる。
【００２２】
一部の態様において、スタジオは、ユーザのプライバシー、データの完全性、またはその両方を保護するために、セキュリティ手段を含むことができる。そして、スタジオは、コンピュータ可読記憶媒体内に具現化されて、バーチャル演奏者プロフィールを自動予備スクリーニングとマッチングさせて、ユーザに自動化状態レポートを供給する、応答モジュールをさらに含むことができる。
【００２３】
これらの教示は、また、音楽作品も対象としている。これらの態様において、音楽作品は、一般人からの一群のランダムなバーチャル演奏からの選出バーチャル演奏を含む、マルチトラック派生音楽作品とすることができる。前記の選出バーチャル演奏は、公共の場を介して人気アーチストにバーチャル提出を行う機会を一般人に提供することによって取得された、一般人からの大規模な音楽演奏の評価を含む工程から、取得することができる。一部の態様において、この提供することには、選出バーチャル演奏者として選択された場合には、人気アーチストとの音楽作品の創作を介して、その人気アーチストの営業権と連携することを含めることができる。この評価することには、（ｉ）複数のオーディオトラック、および調整要素を含む、音楽作品用の参照ファイルを取得すること、および（ｉｉ）公共の場を介して、ランダムなバーチャル演奏者に参照ファイルを供給すること、を含む工程を含めることができる。そして、マルチトラック派生音楽作品を、本明細書に記述したように展開することができる。
【００２４】
また、本教示は、一般人タレントを見出して展開するシステムおよび方法も対象としている。このシステムおよび方法は、一般人から一群のランダムなバーチャル表現を取得すること、この一群のランダムなバーチャル表現に対して、選出バーチャル表現を選択すること、および該選出バーチャル表現を展開表現に変換することを含む。この選出バーチャル表現は、オリジナルまたは派生的とすることができる。
【図面の簡単な説明】
【００２５】
【図１】図１は、一部の態様によるバーチャルスタジオ用の総合技術プラットフォームを示す。
【図２】図２は、一部の態様による、バーチャルスタジオの構成要素を説明する、プロセッサ・メモリ図である。
【図３】図３は、一部の態様による、バーチャルスタジオを示す概念図である。
【図４】図４は、一部の態様による、ランダムなバーチャル演奏者に、１次サーバを介して派生的マルチトラック音楽作品に挿入するためのバーチャル演奏を提出する機会を提供する主演アーチストの観点から、スタジオを説明する図である。
【図５】図５は、一部の態様による、ランダムなバーチャル演奏者に、遠隔サーバと合わせて１次サーバを介して、派生的マルチトラック音楽作品に挿入するためのバーチャル演奏を提出する機会を提供する主演アーチストの観点から、スタジオを説明する図である。
【図６】図６は、一部の態様において、バーチャルスタジオ用にネットワークをどのように使用するかを示す図である。
【００２６】
詳細な説明
本教示は、一般的には、ネットワークまたは公共の場を介して提出される一群のランダムなバーチャル提出物から得られる、一般人からの選出バーチャル提出物を含む、芸術作品を創作する方法に関する。一部の態様においては、芸術作品には、オリジナル表現、派生表現、またはその両方を含めることができ、当業者に知られている任意の人的な表現を含めることができる。一部の態様においては、例えば、「芸術作品」には、文学作品；任意付属言語を含む、音楽作品；任意の付属音楽を含むドラマ作品；パントマイムおよび振付け作品；絵画、写真、および彫刻作品；映画およびその他の視聴覚作品；音声レコーディング；および建築作品を含めることができる。一部の態様においては、芸術作品には、米国著作権法によって解釈される場合に、著作権取得可能な表現であると考えられる、任意の主題を含めることができる。
【００２７】
本教示は、また、一般タレントを見出して展開するシステムおよび方法も対象としている。本システムおよび方法は、一般人から一群のランダムなバーチャル表現を取得すること、この一群のランダムなバーチャル表現に対して、選出バーチャル表現を選択すること、および該選出バーチャル表現を展開表現に変換することを含む。選出バーチャル表現は、オリジナルまたは派生的とすることができるとともに、その提出は、リアルタイムまたは非リアルタイムとすることができる。これらの表現は、本明細書において記述されるときには、それらがネットワーク上の、またはネットワークに接続された、公共の表示を介して提出される点において「バーチャル」である。
【００２８】
本教示は、一般人からのバーチャル演奏を含む、派生的マルチトラック音楽作品を創作する方法を含む。この方法は、例えば、それぞれが調整要素と位置合わせされている複数のオーディオトラックを含む、音楽作品用の参照ファイルを作成することを含むことができる。
【００２９】
派生的マルチトラック音楽作品は、オリジナル音楽作品の全部または一部に対するバーチャル演奏者の解釈を含み、本明細書に記述するときにはバーチャル演奏の形態としてもよい。例えば、一部の態様においては、派生的作品とは、オリジナルの先に創作された最初の作品の、主要な著作権保護された要素を含む、表現創作として記述することができる。そして、一部の態様においては、「派生作品」とは、翻訳、音楽編曲、ドラマ化、小説化、映画版、音声レコーディング、美術複製、抄本、縮合（condensation）、または作品がバーチャルパフォーマンスに改作または変換できる、その他任意の形態などの、１つまたは２つ以上の既存の作品に基づく作品とすることができる。
【００３０】
一部の態様においては、本教示は、バーチャル演奏を介して一般人タレントを見出して展開するためのバーチャルスタジオ環境を提供する。バーチャル演奏には、例えば、演奏の評価者の物理的存在においてではない、任意の演奏を含めることができる。演奏は、リアルタイムであるか、リアルタイムでなくてもよい。
【００３１】
一部の態様においては、バーチャル演奏は、リアルタイム演奏ではなく、この場合には、バーチャル演奏者によるランダムなバーチャル演奏の評価者への伝送と、評価者によるバーチャル演奏の評価の間には遅延がある。そして、一部の態様においては、この遅延は、ライブオーディオ伝送の送受信に関連する通常の遅延を、実質的に超える可能性がある。一部の態様においては、バーチャル演奏は、リアルタイム演奏ではなく、この場合には、評価者によるランダムなバーチャル演奏の受け取りと、評価者によるバーチャル演奏の評価の間に遅延がある。一部の態様において、この遅延は、数秒または数分であり得る。一部の態様において、この遅延は数時間または数日であり得る。そして、一部の態様においては、この遅延は数か月または数年であり得る。
【００３２】
一部の態様において、バーチャル演奏は、リアルタイム演奏であり、この場合には、バーチャル演奏者によるランダムなバーチャル演奏の評価者への伝送と、評価者によるバーチャル演奏の評価との間には実質的に遅延がない。そして、一部の態様においては、この遅延は、ライブオーディオ伝送の送受信に付随する通常の遅延を実質的に超えることがない。一部の態様においては、バーチャル演奏はリアルタイム演奏であり、この場合に、評価者によるランダムなバーチャル演奏の受取りと、評価者によるバーチャル演奏の評価との間に実質的な遅延はない。
【００３３】
音楽作品用の参照ファイルには、複数のオーディオトラックまたは「ステム」を含めることができる。これらのステムのそれぞれは、音楽作品の異なる部分を構成することができる。そして、各部分は、当業者には知られている、任意の音響、楽器、またはボーカルとすることができる。一部の態様においては、ボーカル用のステム、ギター用のステム、ドラムス用のステム、キーボード用のステム、またはおそらく、その他の楽器用のステムがあってもよい。当業者は、いずれの音楽作品も、音楽作品の全体を構成する複数のオーディオトラック内に、任意の数のステムを有することができることを理解するであろう。一部の態様においては、音楽作品内部の個々の音源のそれぞれは、独立したステムを有することができる。そして、一部の態様においては、個々の音源が、ステムを共有してもよい。実際に、一部の態様において、ステムは、映像、文字、またはビデオなどのその他の表現も含む、ファイルを含んでもよい。
【００３４】
調整要素は、オーディオトラック同期ツール、すなわちバーチャル演奏と１つまたは２つ以上の他のオーディオトラックとの位置合わせにおいて、バーチャル演奏者またはバーチャル演奏の評価者を支援するのに使用されるデバイス、として機能する任意の機構または方法を含むことができる。一部の態様においては、参照ファイルは、複数のオーディオトラックを含み、そのオーディオトラックの内の少なくとも１つは、調整要素と位置合わせされている。なお、参照ファイルは、調整要素を介して、バーチャル演奏者が解釈することが可能であり、この場合に、様々な調整要素を設けて、例えば、異なるテンポを提供するとともに、所与の参照ファイルに対して利用可能にしてもよいことを理解されたい。また、一部の態様においては、参照ファイルは調整要素を含むことが可能であり、または調整要素を参照ファイルと別個のファイルとすることができることを理解されたい。
【００３５】
調整要素は、例えば、参照の開始時、参照ファイルの開始後、参照ファイルのいずれかの部分中、参照ファイルの終了点、または参照ファイル全体中に、バーチャル演奏者を、参照ファイルと同期させるのに使用することができる。バーチャル演奏者、またはバーチャル演奏の評価者は、調整要素を使用して、バーチャル演奏を参照トラックと一体化、または編集して、一部の態様においては、バーチャル演奏を、参照ファイルの派生演奏に変換することができる。調整要素は、本明細書で記述したように、一部の態様においては、バーチャル演奏を参照トラック以外のファイルと編集するのに使用することができる。さらに、調整要素は、バーチャル演奏と、調整要素と動作可能な、その他任意のオーディオファイルとの編集を自動化するのに使用することもできる。
【００３６】
調整要素は、視覚、音感、または触感の使用を容易化して、バーチャル演奏を、例えば、参照ファイルと位置合わせする際に、バーチャル演奏者または評価者を支援することができる。そして、一部の態様においては、調整要素は、これらの感覚を組み合せて使用することができる。例えば、一部の態様においては、調整要素は、可聴メトロノームトラックのような、可聴調整ツールであり、これは、一部の態様においては「クリックトラック」と呼ぶことができる。なお、参照ファイルに、クリックトラックステムを含めるか、またはクリックトラックを、参照ファイルと別個の、独立したファイルとすることができることを理解されたい。そして、クリックトラックは、参照ファイル内の複数のトラックの１つまたは２つ以上と組合せることができる。
【００３７】
調整要素は、視覚式としてもよく、ディスプレイスクリーンからのマークまたはライティングを実装して、例えば、バーチャル演奏の創作における、オーディオトラックの位置合わせにおいて、バーチャル演奏者を支援してもよい。一部の態様においては、調整要素は、可聴音および可視証印（visible indicia）の両方を提供することができる。なお、オーディオトラックは、ウェーブファイルとすることが可能であり、このファイルは、例えば、その他のオーディオトラックとマッチングさせるために、オーディオトラックを図形的に特徴づける、数学的アルゴリズムの使用によるなどの、その他の方法で同期させることができることを理解されたい。図形ディスプレイには、それに限定はされないが、そのようなオーディオトラックのアライメントを支援するために、図形ディスプレイ上で波形をマッチングさせること、および／または一体化の相対的程度を指示する数値ディスプレイを設けることを含む、当業者に知られている、任意の図形データ解釈を含めてもよい。一部の態様において、調整要素を実装する工程は、自動化することができる。
【００３８】
バーチャル提出は、ランダムとするか、または非ランダムとすることができる。したがって、本方法は、ネットワーク上で、ランダムなバーチャル演奏者に参照ファイルを供給することを含むこともできる。一部の態様において、「ランダム（random）」という用語は、本明細書においては、例えば、単に、用語「選出された（select）」と区別するために使用することが可能であり、この場合に、「選出」バーチャル演奏者（select virtual performer）は、ランダムなバーチャル演奏者の群の中から選出された、勝利提出物を提供し、その結果として、定義された提出物の群に属し、評価者によって評価されて、選出バーチャル演奏者として選ばれた、演奏者とすることができる。他方で、ランダムなバーチャル演奏者は、本明細書において教示された一部の態様による、評価用のバーチャル演奏の提出物を提供する、組織グループの内部から、または単一の組織の内部からの、世界中、国中、州全域、市全域の任意のバーチャル演奏者を含むことができる。
【００３９】
一部の態様においては、ランダムなバーチャル演奏者は、そのような演奏者が評価に応募する機会に対する、全般的な公開提供に応じて、応募を行うことができる。一部の態様においては、ランダムなバーチャル演奏者は、そのような演奏者が評価に応募する機会に対する、限定的な公開提供に応じて、応募を行うことができる。限定的な公開提供は、例えば、組織グループの内部から、または単一組織の内部からの、全世界、国中、州全域、市全域の集団からの人々の内、全員よりも少ない人に対する提供を含む。一部の態様においては、（ｉ）演奏者が、本明細書において教示された方法を実施する組織のメンバである、（ｉｉ）演奏者が、組織のメンバとなるために支払いをしている、および／または（ｉｉｉ）演奏者が、実際に、組織のメンバとして選出された場合であっても、このバーチャル演奏者は、ランダムなバーチャル演奏者である。限定的な公開提供は、また、例えば特定の地理的領域を対象とする提供とすることも可能であり、そのような提供は、それでもランダムな提供と考えることができる。限定的な公開提供は、また、特定のアーチストを対象とした提供とすることも可能であり、そのような場合には、その提供は非ランダムとなる。実際に、提供が、特定のアーチストを対象とした、やはり非ランダムである私的な提供を含むことも可能であり、これに関する情報は、全般的、または限定的な公開ベースでも、入手可能とはされない。これらの態様においては、私的な公開は、大規模より小さくするか、または、一部の態様においては、大規模な私的公開と考えられるように拡張することができる。
【００４０】
「ネットワーク」という用語は、例えば、モノまたは人の任意の相互接続されたシステムを含むことができる。一部の態様においては、ネットワークは、コンピュータネットワークを含み、ネットワークは、インターネットまたはイントラネットシステムとすることができる。したがって、ネットワークは、一部の態様においては、バーチャル演奏の公開提出用のインターネットポータルを提供することができる。したがって、ネットワークは、それに限定はされないが、テレビジョン、ラジオ、またはサテライトの各放送システムを含む、放送の場などの、公共の場を含むことができることを理解されたい。一部の態様においては、公共の場は、それに限定はされないが、消費者向けウェブサイトを含む、商業、サービス、または教育のチェーンにおける、流通構成要素；卸売店、またはフランチャイズにおける卸売店のチェーン；エンターテインメント会場、またはエンターテインメント会場のチェーン；教育機関、または教育機関のチェーン；その他を含む。一部の態様においては、ネットワークは、ハンドヘルド型ワイヤレスデバイスを介してアクセス可能である。公共の場は、ネットワークによって設けられるか、またはネットワークに結合される。公共の場それ自体が、ネットワークを作動させるか、または単にネットワークに結合して、本明細書において教示された方法を実行することができる。
【００４１】
本方法は、一般人からの選出バーチャル演奏を有する、派生的マルチトラック音楽作品を展開することも含むことができる。前記の展開するステップは、一群のランダムなバーチャル演奏をランダムなバーチャル演奏者から取得するサブステップであって、前記一群のバーチャル演奏における各バーチャル演奏が、参照ファイルの伴奏なしで、調整要素と位置合わせされて、派生トラックを演奏するバーチャル演奏者を有する派生トラックを含む、前記サブステップを含むことができる。そして、前記一群のバーチャル演奏における各バーチャル演奏は、また、参照ファイルの伴奏付きで派生トラックを演奏するバーチャル演奏者を有する、参照ミックストラックも含むことができる。
【００４２】
なお、参照ミックストラックは、評価工程において、評価者がバーチャル演奏者を選出するのを支援するのに使用することができることを理解されたい。参照ミックストラックは、例えば、一部の態様において、参照ファイルで伴奏されるときにバーチャル演奏がどのように聞こえるかを、評価者が聞くことを可能にする。一部の態様においては、バーチャル演奏者は、参照ファイル内のすべてのステムによって伴奏され、また、一部の態様においては、バーチャル演奏者は、参照ファイル内のすべてよりも少ないステムによって伴奏されることが可能であり、この場合には、例えば、アーチストが選択的であり、参照ファイルにおける全部よりも少ないステムを含む参照ミックスを選択する。
【００４３】
本明細書で教示する方法は、また、一群のランダムなバーチャル演奏から選出バーチャル演奏を選択すること、および前記選出バーチャル演奏を派生的マルチトラック音楽作品に変換することを含むこともできる。一部の態様においては、「変換する」という用語は、選出バーチャル演奏に存在するデータを、選出バーチャル演奏と、異なるオーディオトラックまたは一群のオーディオトラックとの編集を有する、音楽作品に変換することを含むことができる。一部の態様においては、変換することは、選出バーチャル演奏を、少なくとも参照ファイルと統合すること、または編集することを含む。そして、一部の態様においては、複数の選出バーチャル演奏が編集されて、この場合に、選出バーチャル演奏は、参照ファイルが統合されるか、またはされない音楽作品に編集することができる。
【００４４】
一部の態様においては、芸術作品は、オリジナル表現、派生表現、またはその両方を含むことができる。一部の態様においては、オーディオトラックの統合または編集によって、派生的マルチトラック音楽作品が創作される。一部の態様によっては、バーチャル演奏は、例えば、バンド内のポジションに対する審査のような、市場における現行ポジションに対する審査ではない。しかしながら、一部の態様において、バーチャル演奏は、従来的意味で、審査として使用することが可能であり、この場合には、選出バーチャル演奏者は、例えば、従来型のリアルタイム物理環境において音楽グループに定期的に貢献するように選ばれる。さらに、バーチャル演奏は、バーチャル演奏者が単一の演奏者からなるように、個人演奏を含むか、またはバーチャル演奏者が複数の演奏者からなるように、グループ演奏を含むことがきる。
【００４５】
本明細書に提示する教示は、オーディオトラックの編集におけるガイダンスは、高品質音楽作品の創作において、従来から成功裏に使用された機能的要素であるとの認識の下に、バーチャル演奏者に対してガイダンスの要素を提供することを含むことができる。なお、そのようなガイダンスなしでは、音楽作品を展開することは、困難か不可能である可能性があり、音楽編集の品質は、一般に、失敗編集となる程度に、ひどくなる可能性があると予想されることを理解されたい。ガイダンスは、すべてのバーチャル演奏に対して一般化されたガイダンス形態とする；バーチャル演奏者に対する一群の公開において、各公開に対してカスタマイズする、または、例えば、非ランダムなバーチャル演奏者に対する特定の公開に対する私的情報を含むガイダンスとすることができる。一部の態様においては、ガイダンスは、音楽編集を行う当業者からのプロフェッショナルガイダンスとするか、またはガイダンスは、音楽編集の技術における、熟達者、おそらくは有名でさえある人からのプロフェッショナルガイダンスとすることもできる。参照ファイルをバーチャル演奏者に供給することは、例えば、選出バーチャル演奏に望まれる基準に合致する方法において、バーチャル演奏者に解説することを含むことができる。
【００４６】
一部の態様においては、その基準は、評価者が要望するかもしれない基準に合致するのを助ける努力において、例えば、テンポ、テンポマッピング、スタイル、「ムードまたはフィール」、ジャンル、外見（physical appearance）、その他の選択についてのアドバイスなどの、特定の公開において望まれる任意の基準を含んでもよい。例えば、この基準は、所望の音楽スタイルを、その他の種類の音楽と区別して、バーチャル演奏者に説明することのできる、音楽の特定のカテゴリーおよび種類に属するものとして識別してもよい。例えばジャンルについての簡略化された説明は、自由裁量に任され、議論の余地があり、またおそらくその他のジャンルと密接に関係しているので、基準に対するガイダンスは、混乱または誤解を明らかにすることができる。いかなる論理的に整合のある方法でも音楽を総称的に分類することは困難もしくは不可能であるので、ガイダンスなしの簡単な説明は、一般に、バーチャル演奏者にとって有用性を欠くことが予想され、結果として、スタイルのミスマッチまたは見当違いのバーチャル演奏となる可能性がある。バーチャル演奏における適当なガイダンスなしでは、アーチスト、特に並外れたアーチストが、単にガイダンスがないために、評価者によって見過ごされることがある。同様に、アーチストによって基準がよく理解されて、演奏される場合においても、十分なガイダンスがないと、やはり、バーチャル演奏を適正な評価から除外する技術的問題を生じることがある。このような技術的問題は、オーディオトラックを編集して音楽作品を形成する当業者にはよく理解されており、それに限定されないが、不適正なオーディオレベル、参照ファイルとの同期の欠如などが挙げられる。
【００４７】
結局はすべての種類の音楽に好適ではあるが、本明細書において提供する教示は、マルチトラック化かつオーバダビングされた非同時の演奏を含む制作方法に全面的に依拠する音楽での使用に特に好適であり得る。そのような音楽種類の例としては、それに限定はされないが、ポップ、ロック、カントリー、ヒップホップ、エレキ、およびダンスが挙げられる。マルチトラック手順を使用すると、本明細書にいて教示される方法と組合せるときに、タレントをスクリーニングするその他の既知の方法に対して、格別の多用性および応用性が追加される。そのような音楽に対して区分的組立工程を用いると、本発明の教示での使用に特に好適となる。特徴として、そのレコーディング制作工程が、グループまたはアンサンブルのライブの同時演奏を伴うジャンルの音楽としては、それに限定はされないが、古典的なジャズ、ブルース、聖歌、フォークが挙げられる。
【００４８】
ロックおよびカントリーは、本明細書において教示される方法に非常に好適であり、例えば、少なくともそのノンライブ（non-live）、非同時演奏レコーディング工程に関して、無比であると考えることができる。この結果は、バンドによってライブで、同時に演奏されたかのような音がするように作られた、マスターレコーディングである。したがって、ロックミュージックは、その編集において、加えて消費者の期待からも、マルチトラックである。
【００４９】
この教示は、バーチャルレコーディングスタジオも対象としている。これらの態様において、バーチャルレコーディングスタジオは、例えば、提供モジュール、解説モジュール、入力装置、音楽データベース、本人プロフィールモジュール、ソリューションモジュール、統合化エンジン、およびグラフィックユーザインターフェイスを含む、構成要素を備えることができる。
【００５０】
図１は、一部の態様によるバーチャルスタジオ用の総合技術プラットフォームを示す。コンピュータシステム１００は、従来型コンピュータシステムとしてもよく、コンピュータ１０５、Ｉ／Ｏ装置１１０およびディスプレイ装置１１５を含む。コンピュータ１０５は、プロセッサ１２０、通信インターフェイス１２５、メモリ１３０、ディスプレイコントローラ１３５、不揮発性記憶装置１４０、およびＩ／Ｏコントローラ１４５を含むことができる。コンピュータシステム１００は、Ｉ／Ｏ装置１５０およびディスプレイ装置１５５に結合されるか、またはそれらを含んでもよい。
【００５１】
コンピュータ１０５は、通信インターフェイス１２５を介して外部システムにインターフェイスされており、通信インターフェイス１２５はモデムまたはネットワークインターフェイスを含んでもよい。通信インターフェイス１２５は、コンピュータシステム１００の一部、またはコンピュータ１０５の一部であると考えることできることに気付くであろう。通信インターフェイス１２５は、アナログモデム、ＩＳＤＮモデム、ケーブルモデム、トークンリングインターフェイス、衛星通信インターフェイス（例えば、「ダイレクトＰＣ」）、またはコンピュータシステム１００をその他のコンピュータシステムに結合するための、その他インターフェイスとすることができる。セルラー電話において、このインターフェイスは、通常、セルラーネットワークと通信するための無線インターフェイスであるとともに、直ちに利用可能なパーソナルコンピュータで使用するための、何らかの形態のケーブル付きインターフェイスも含んでもよい。双方向ポケットベル（two-way pager）において、通信インターフェイス１２５は、通常、データ伝送ネットワークとの通信のための無線インターフェイスであるが、同様に、ケーブル付き、またはクレードル付きのインターフェイスを含んでもよい。パーソナルディジタルアシスタンツにおいては、例えば、通信インターフェイス１２５は、通常、クレードル付き、またはケーブル付きインターフェイスを含むことができるとともに、ＢＬＵＥＴＯＯＴＨ（登録商標）または８０２．１１インターフェイスなどの、何らかの形態の無線インターフェイス、またはセルラー無線インターフェイスも含んでもよい。
【００５２】
プロセッサ１２０は、例えば、インテル製Ｐｅｎｔｉｕｍ（登録商標）マイクロプロセッサまたはモトローラ製パワーＰＣ（登録商標）マイクロプロセッサ、テキサスインスツルメンツ製ディジタルシグナルプロセッサなどの、従来型マイクロプロセッサ、またはこのような構成要素の組合せとしてもよい。メモリ１３０は、バスによってプロセッサ１２０に結合されている。メモリ１３０は、ダイナミックランダムアクセスメモリ（ＤＲＡＭ）とすることができるとともに、静的ＲＡＭ（ＳＲＡＭ）を含むこともできる。バスは、プロセッサ１２０をメモリ１３０に結合し、また不揮発性記憶装置１４０、ディスプレイコントローラ１３５、Ｉ／Ｏコントローラ１４５に結合する。
【００５３】
Ｉ／Ｏ装置１５０は、キーボード、ディスクドライブ、プリンタ、スキャナ、およびマウスまたはその他のポインティングデバイスを含む、その他の入出力デバイスを含むことができる。ディスプレイコントローラ１３６は、従来方式で、ディスプレイ装置１５５上のディスプレイを制御してもよく、このディスプレイ装置１５５は、例えば、陽極線管（ＣＲＴ）または液晶ディスプレイ（ＬＣＤ）とすることができる。ディスプレイコントローラ１３５およびＩ／Ｏコントローラ１４５は、従来式の周知の技術で実現することが可能であり、例えば、それらを一緒に一体化してもよいことを意味する。
【００５４】
不揮発性記憶装置１４０は、ＦＬＡＳＨメモリか、または読取り専用メモリ、または両者の組合せであることが多い。磁気式ハードディスク、光学ディスク、または大量データ用の別の形態の記憶装置も、一部の態様においては、使用してもよいが、そのようなデバイスのフォームファクタから、一部のデバイスにおいては、通常、永久構成要素としての実装は除外される。むしろ、別のコンピュータ上の大量記憶装置が、通常、一部の装置のより制限された記憶と合わせて使用される。このデータの一部は、ダイレクトメモリアクセスプロセスによって、コンピュータ１０５内でのソフトウェアの実行中に、メモリ１３０に書き込まれることが多い。当業者であれば、「機械可読媒体」、「コンピュータ可読記憶媒体」、または「コンピュータ可読媒体」の用語は、プロセッサ１２０によってアクセスの可能な任意の種類の記憶装置を含むとともに、データ信号を符号化する搬送波も包含することをすぐに認識するであろう。オブジェクト、メソッド、インラインキャッシュ、キャッシュ状態およびその他のオブジェクト指向構成要素を、不揮発性記憶装置１４０に記憶するか、または例えば、オブジェクト指向ソフトウェアプログラムの実行中に、メモリ１３０に書き込んでもよい。一部の態様においては、これらの媒体は、例えば、モジュールまたはエンジンを含むことが可能であり、これらのモジュールまたはエンジンは、それらがソフトウェア、ハードウェア、ソフトウェア／ハードウェア組合せ、および本明細書において教示されるそれらの機能においてそれらを動作可能にすることのできる、当業者によって認識されるその他任意の構成要素を含むことができるという点において、完結している。
【００５５】
コンピュータシステム１００は、多数の異なる可能なアーキテクチャの一例である。例えば、Ｉｎｔｅｌ（登録商標）マイクロプロセッサに基づくパーソナルコンピュータは、複数のバスを有することが多く、その一つは、周辺機器用のＩ／Ｏバスであって、プロセッサ１２０およびメモリ１３０を直接的に接続するバス（メモリバスと呼ばれることが多い）とすることができる。バスは、バスプロトコルが異なるために、何らかの必要な変換を行うブリッジ構成要素を介して、互いに接続されている。
【００５６】
さらに、コンピュータシステム１００は、オペレーティングシステムソフトウェアによって制御され、これには、オペレーティングシステムソフトウェアの一部であるディスクオペレーティングシステムなどの、ファイルマネジメントシステムが含まれる。関連するファイルマネジメントシステムを備える、オペレーティングシステムソフトウェアの一例としては、ワシントン州Ｒｅｄｍｏｎｄのマイクロソフト社製の、Ｗｉｎｄｏｗｓ（登録商標）ＣＥおよびＷｉｎｄｏｗｓ（登録商標）として知られるオペレーティングシステムのファミリがある。関連のファイルマネジメントシステムソフトウェアを備えるオペレーティングシステムソフトウェアの別の例は、ＬＩＮＵＸ（登録商標）オペレーティングシステムおよびその関連するファイルマネジメントシステムがある。関連のファイルマネジメントシステムソフトウェアを備えるオペレーティングシステムソフトウェアの別の例は、ＰＡＬＭオペレーティングシステムおよびその関連ファイルマネジメントシステムである。ファイルマネジメントシステムは、通常、不揮発性記憶装置１４０内に記憶されており、プロセッサ１２０に、オペレーティングシステムが必要とする様々な動作を実行させて、不揮発性記憶装置１４０にファイルを記憶することを含み、データを入出力し、メモリ内にデータを記憶する。その他のオペレーティングシステムを、デバイスのメーカーによって供給されることもあり、これらのオペレーティングシステムは、通常、類似のデバイス上の類似のオペレーティングシステムの一部ではない、デバイス固有機能を有することになる。同様に、ＷｉｎＣＥ（登録商標）またはＰＡＬＭオペレーティングシステムは、特定のデバイス能力用に特定デバイスに適合されていることがある。
【００５７】
コンピュータシステム１００は、一部の態様においては、単独チップまたはチップ群上に一体化してもよく、通常は、パーソナルデバイスとして使用するための小さなフォームファクタに適合される。すなわち、プロセッサ、バス、オンボードメモリ、およびディスプレイ／ＩＯコントローラが、すべて単一チップ上に一体化されることは一般的ではない。代替的に、機能を、ポイント・ツー・ポイント相互接続を有する、数個のチップに分けることによって、バスを、論理的に明白であるが、実施のデバイスまたは関係する略図のいずれかの検査からは、物理的には明白ではなくしてもよい。
【００５８】
図２は、一部の態様による、バーチャルスタジオの構成要素を説明する、プロセッサ・メモリ図である。図２に示すシステム２００は、例えば、プロセッサ２０５および（不揮発性メモリを含むことのできる）メモリ２１０を含むことが可能であり、メモリ２１０は、本人プロフィールモジュール２１５、音楽データベース２２０、提供モジュール２２５、ソリューションモジュール２３０、統合化エンジン２３５、および解説モジュール２４０を含む。そして、図に示すように、その他の構成要素を含めることができる。
【００５９】
このシステムは、ユーザに個人化された本人プロフィールをコンピュータシステムに入力することを可能にする動作をする、入力装置（図示せず）を含む。入力装置の例としては、キーボード、マウス、外部データフォーマットと相互作用する動作の可能なデータ交換モジュール、音声認識ソフトウェア、システムと通信するハンドヘルド型デバイス、その他があげられる。
【００６０】
提供モジュール２２５は、コンピュータ可読記憶媒体内に具現化することが可能であって、公共の場を介して人気アーチストにランダムなバーチャル演奏の提出物を供給する機会を提供する動作を可能にすることができる。この提供することには、選出バーチャル演奏者として選出された場合には、人気アーチストとの音楽作品の創作を介して、その人気アーチストの営業権と連携することを含めることができる。
【００６１】
解説モジュール２４０は、コンピュータ可読記憶媒体内に具現化することが可能であって、公共の場を介してランダムなバーチャル提出を行うための基準に関して、ユーザにバーチャル解説を行う動作を可能にすることができる。
【００６２】
音楽データベース２２０は、コンピュータ可読記憶媒体内に具現化することが可能であって、マルチトラック音楽作品用の参照ファイルを含む、音楽ライブラリを記憶する動作を可能にすることができる。
【００６３】
本人プロフィールモジュール２１５は、コンピュータ可読記憶媒体内に具現化することが可能であって、個人化された本人プロフィールを受け取って、個人化された本人プロフィールをバーチャル演奏者プロフィールに変換する動作を可能にすることができる。バーチャル演奏者プロフィールは、ユーザからのバーチャル演奏を備えるとともに、選出アーチストの本人識別、調整要素を有する選出マルチトラック音楽作品用の参照ファイル、ユーザによって作成された派生トラック、およびユーザによって作成された参照ミックストラックを含むことができる。入力装置は、ユーザが個人化された本人プロフィールをコンピュータシステムに入力することを可能にできる。そして、個人化された本人プロフィールは、ユーザ用の個人化ファイルを生成するのに使用される情報を取得するように設計された質問票を含むことができる。
【００６４】
ソリューションモジュール２３０は、コンピュータ可読記憶媒体内に具現化することが可能であって、アーチストおよび参照ファイルについてのユーザの選択に応じて、音楽データベース内の音楽を、オーディオトラックステム中に構文解析する動作が可能である。統合化エンジン２３５は、コンピュータ可読記憶媒体内に具現化することが可能であって、調整要素を使用して派生トラックを参照ファイルと編集する動作を可能にすることができる。
【００６５】
モジュールまたはエンジンのいずれも、追加の機能を有することができるとともに、追加のモジュールおよびエンジンを追加して、さらに多くの機能を提供することもできることを理解されたい。統合化エンジン２３５は、自動化事前スクリーニングとしてランダムなバーチャル演奏を却下するために、派生トラック内の欠陥を識別するのに使用することもできる。勿論のこと、スタジオは、プロセッサ２０５を有する。そして、グラフィックユーザインターフェイス（図示せず）は、ビデオ、オーディオ、および／またはテキストをユーザに対して表示するのに使用することができる。
【００６６】
「欠陥」は、一部の態様においては、技術的または選択的理由として、特定のオーディオトラックが、所望基準外になることを意味することができる。事前スクリーニング工程を使用して、多数の提出物を評価のための実際的な数まで低減することが可能であり、一部の態様においては、この基準は、所望の数の提出物を利用するように広くしたり狭くしたりすることができる。事前スクリーニング工程は、比較的簡単な機能とするか、または一部の態様においては、比較的複雑な機能とすることができる。事前スクリーニングの値は、多数のオーディオファイルを、特に大規模に、評価することは、従来式の音楽制作技術を実践している、評価を行う人にとっては恐れをなすものであり得ることを理解されたい。そして、芸術的なスキルや品質を評価して選出することは、機械で取り込み、自動化するのが困難であるか、不可能である、特定のジャンルまたは評価者に対してきわめて主観的な、多くの「人間的な」基準を持ち込むので、ほとんどの人が同意するように、評価を行う人がいることが最も望ましい。したがって、自動化可能な基準を介して作品を除外する、例えば、所望の「人間的な」基準外にある作品を除外するための、そのような作品の自動化事前スクリーニングは、芸術作品の大量スクリーニングを評価する人にとって、実際的であり、かつ十分に可能なものにすることを支援できる可能性がある。
【００６７】
一部の態様においては、事前スクリーニングを受ける芸術作品には、著作権取得可能な表現と考えられる任意の作品を含めることができる。例えば、音楽表現は、汎用スクリーニング技術として使用できて、所望基準外となった作品を除外するようにプログラムできる、チューニング、ピッチ、トランジェント、またはその他のパターンなどの多様な音楽基準に対して、事前スクリーニングが可能である。そして、本明細書において述べるように、前記基準は、任意の所望基準とすることができる。例えば、事前スクリーニングは、波形、音響レベル、パターン、その他を使用することができる。一部の態様においては、例えば、ボーカリストは、そのボーカリストの品質評価点を、正常には、継続するスクリーニングに許容され得ると考えられる閾値より下に低下させる、チューニングおよびピッチについて問題を繰り返した可能性がある。そのような基準を確立することによって、例えば、評価工程からかなりの割合の提出物を除外し、評価する人の時間および資源を節約することができる。
【００６８】
一部の態様においては、以下に示すもののいずれか１つ、またはそれらの任意の組合せを、多数の提出物、特に大量提出物のフィルタリングにおけるバーチャル演奏のスクリーニングに対して使用することができる：（ｉ）例えば、正しい同期、音質、オーディオレベル、またはそれらの組合せを含む、技術的許容性の標準、および（ｉｉ）例えば、ピッチ／チューニング、タイミング／リズム精度、ノート選択（所定のスケール／キー）、トーン／ティンバー（timbre）、またはそれらの組合せに対する、可変許容値を含む「アーチスト／評価者」によって定義される、解説集を含む、「アーチスト／評価者」規格。提出物を事前スクリーニングするのに使用することのできる技術的な考慮事項の例としては、それに限定はされないが、１）音響レベル（高すぎる、または低すぎる）、２）同期（オーディオが、対応するオーディオトラックと一緒に再生しない）、３）そのトラックが使用の資格を得ることを妨げる、サンプルレート／ピッチ／再生速度、および４）音質（歪み、高い雑音レベル、干渉）があげられる。一部の選択的な考慮事項としては、それに限定はされないが、１）曲のキー、２）コード進行／コード変化、３）アレンジメント（曲のパート、例えば、コーラス、序奏部、間奏部、その他の順序）、４）拍子記号、５）イントネーション（チューニングの悪い楽器）、６）トーン（楽器のティンバー）、および７）腕前（熟達度、タイミング、正確度）などの、その他の問題を含めてもよい。
【００６９】
一部の態様において、本システムは、例えば、ユーザプロフィールから、ディスプレイ選好パラメータなどの、選択パラメータを抽出する動作の可能なパラメータ化モジュール２４５をさらに含み、グラフィックユーザインターフェイスは、ユーザのディスプレイ選好に応じて、情報サブセットオプションのカスタム化集合の形態で、音楽データベース２２０からの選択データを表示する。選択パラメータには、ユーザ選択、管理者選択、またはそれらの組合せを含めてもよい。例えば、ユーザは、形状、色、音、およびその他任意の多様なスクリーン表示の選択組合せ、およびマルチメディアオプションを選好することがある。さらに、選択事項は、ディスプレイ選好パラメータを容易に、かついつでも個人化して変更するのに使用することができる。
【００７０】
いくつかの態様において、本システムは、外部データフォーマットと相互作用する動作が可能なデータ交換モジュール２５０をさらに含む。本人プロフィールが、当業者には知られている任意の外部メモリまたはファイルを含む、遠隔メモリソースなどの、別のデータベースまたはソースから取得された、外部音楽データを含む。
【００７１】
一部の態様においては、本システムは、ユーザが同様の本人プロフィールを有する他のユーザと、またはプロフィールとは独立した方法で、単にユーザが選択するときに、他のユーザと、通信できるようにする動作が可能なメッセージングモジュール（図示せず）をさらに含む。ユーザは、互いに電子メールを送受信する、ブログに投稿する、またはリアルタイム通信用のインスタントメッセージング能力を有することが可能である。一部の態様においては、ユーザは、通信におけるビデオおよびオーディオ能力を有し、この場合には、本システムは、当業者には知られている、データストリーミング方法を実施する。
【００７２】
本明細書において教示されるシステムは、パーソナルコンピュータ、マルチプロセッサシステム、マイクロプロセッサ方式の、またはプログラム可能な消費者電子機器、ネットワークＰＣ、ミニコンピュータ、メインフレームコンピュータ、その他を含む、様々なシステム構成で実施することができる。本発明は、また、通信ネットワークを介してリンクされた遠隔処理装置によってタスクが実行される、分散コンピューティング環境において実施することもできる。このように、一部の態様においては、本システムは、外部コンピュータ接続およびブラウザプログラムモジュール２７０をさらに含む。ブラウザプログラムモジュール２７０は、外部コンピュータ接続を介して外部データにアクセスする動作を可能にすることができる。
【００７３】
図３は、一部の態様による、バーチャルスタジオを示す概念図である。システム３００は、典型的な態様において使用することのできる構成要素を含む。図２に示されている、本人プロフィールモジュール２１５、音楽データベース２２０、提供モジュール２２５、ソリューションモジュール２３０、統合化エンジン２３５、および解説モジュール２４０に加えて、装置３００のメモリ２１０は、パラメータ化モジュール２４５、および外部音楽データベース３２０にアクセスするためのブラウザプログラムモジュール２７０も含む。このシステムは、直接またはＩ／Ｏ装置３５０を介してＩ／Ｏバックプレーン３４０に接続された、スピーカ３５２、ディスプレイ３５３、およびプリンタ３５４を含むことができる。
【００７４】
なお、一部の態様においては、本システムは、コンピュータシステムまたはネットワークではない、スタンドアローン装置において実現して、この装置が、本明細書において提供されるバーチャルスタジオとして機能するが、その他の実質的に異なる機能は実行しないようにすることができることを理解されたい。図３において、例えば、Ｉ／Ｏ装置３５０は、スピーカ（ｓｐｋｒ）３５２、ディスプレイ３５３、マイクロフォン（ｍｉｃ）３５４に接続しているが、その他の装備に結合することもできる。その他の装備、例えば、オン・オフボタン、スタートボタン、イヤフォン入力、その他を追加することができる。一部の態様においては、システムは、動作を介して、オン・オフにすることができる。
【００７５】
一部の態様においては、スタジオは、ユーザのプライバシー、データの完全性、または両方を保護するために、セキュリティ手段を含むことができる。そして、スタジオは、コンピュータ可読記憶媒体内に具現化されて、バーチャル演奏者プロフィールを自動予備スクリーニングとマッチングさせて、ユーザに自動化状態レポートを供給する、応答モジュールをさらに含むことができる。
【００７６】
図４は、一部の態様による、ランダムなバーチャル演奏者に、１次サーバを介して派生的マルチトラック音楽作品に挿入するためのバーチャル演奏を提出する機会を提供する、主演アーチストの観点からスタジオを説明する図である。主演アーチスト４００、またはその管理者は、具体的な解説集を含む、ビデオ４１７（またはＴＶ、衛星もしくはワイヤレスを介する放送４１５）を投稿することが可能であり、このような解説書には、その派生オーディオ提出物の創作において、メンバに期待または要望されることを説明する、バーチャル演奏のための所望基準を含めてもよい。
【００７７】
一部の態様においては、主演アーチストの各々は、ユーザが１次サーバ（例えば、「TPR」（THE PUBLIC RECORD（公共レコード）サーバ）からダウンロードするための（同期トラックに加えて）ガイドトラック／ステム４２５を入手可能にすることが可能であり、この１次サーバは、各主演アーチストに対して固有で、区画化されており、それは主演アーチストページ４２８と呼ばれる。なお、このトラック／ステムは、別のソースまたはデータベースから入手できることを理解されたい。一部の態様においては、そのようなトラック／ステムは、遠隔サーバから入手可能である。
【００７８】
メンバは、ネットワークサーバを介して主演アーチストページにアクセスして、例えば、ガイドトラック／ステム（および同期トラック）をそのメンバのローカルコンピュータにダウンロードすることができる４３０。メンバは、自身のローカルコンピュータに内蔵されたレコーディングソフトウェア４３５、または、それに限定はされないが、所有権付きであって、その提供中に使用許諾されることのできるソフトウェアを含む、その他のソフトウェアを使用して、主演アーチストガイドトラック／ステムに関する派生の個別オーディオファイルを作成（レコーディング）してもよい。メンバは、最終マルチトラックマスタへの挿入を考慮するために、自身の派生レコーディングおよび同期トラックを作成し、主演アーチスト管理区域にアップロードすることができる４４０。主演アーチスト、またはその管理者は、各要求を評価して４５０、最終マルチトラックマスタに挿入する可能性があるために４６０、ローカルワークステーションへ提出物をダウンロードするかどうかを決定する４５５。
【００７９】
各メンバのレコーディングは、供給された同期トラックを利用して、参照証印を定義して、トラックを位置合わせして、そこで、例えば、音楽作品における出発点を、提出物をアーチストガイドトラックに位置合わせするのに使用することができる。この位置合わせは、一部の態様においては、マニュアル式とするか、または位置合わせは、例えば、大量募集からの提出物の評価を容易化するために、自動化することができる。
【００８０】
その他の評価の簡略化を、大量募集からの提出物の評価に実用性をもたらすために使用することができる。例えば、かなりな割合の提出物が、許容可能な提出物に対する標準の範囲外となることがあることを理解されたい。任意の一式の標準を使用して、提出物を却下してもよい。一部の態様においては、システム４５８を使用して、様々な理由、例えば、そのような提出物が所定の閾値レベル（通常、例えば−０．５ｄＢ）外となるなどの理由で、自動的にオーディオ提出物を却下することができる。
【００８１】
また、本システム４５８は、例えば、特定の時間フレーム内での補正を要請するか、または場合によっては、その提出物が回復の機会なく却下されたことを示す、通知を提出者に送付してもよい。これらの態様においては、例えば、所定閾レベル（通常、例えば、−４ｄＢ）未満のオーディオ提出物を、システム４５８内部で自動的に正規化することができる。アーチスト（単数または複数）のスクリーニング、評価、および選出の後に、主演アーチスト、またはその管理者は、最終マルチトラックマスタレコーディングのための、すべての考慮済みパートの最終編集を行うことができる４６５。
【００８２】
図５は、一部の態様による、ランダムなバーチャル演奏者に、遠隔サーバと合わせて１次サーバを介して、派生的マルチトラック音楽作品に挿入するためのバーチャル演奏を提出する機会を提供する主演アーチストの観点から、スタジオを説明する図である。上述のように、主演アーチスト５００は、メンバが派生オーディオ提出物を創作する際にメンバに期待されることを説明する５０７、具体的な解説集を備えるビデオ５０５（または、ＴＶ、サテライトまたは無線を介する放送）を投稿することができる。
【００８３】
一部の態様においては、主演アーチストの各々は、ユーザが１次サーバ（例えば、ＴＰＲサーバ）からダウンロードするための（同期トラックに加えて）ガイドトラック／ステムを入手可能にすることが可能であり５１０、この１次サーバは、各主演アーチストに対して固有で、区画化されており、それは主演アーチスト管理セクション５１５と呼ばれる。
【００８４】
各メンバ５１８は、そのメンバのアカウント５２０に対して固有に、区画化された、サーバ上の専用エリアを有することができる。メンバは、主演アーチストガイドトラック／ステム（および同期トラック）にアクセスして、ファイルをサーバ上の自身の適当なメンバアカウントに移動させることができる。
【００８５】
ウェブサイト（例えば、ＴＰＲウェブサイト）内に内蔵されたオンラインレコーディングソフトウェア５３０を使用して、メンバは、主演アーチストガイドトラックまたはステムトラックに関係する派生の個別オーディオファイルを作成（レコーディング）することができる。また、メンバは、自身のローカルコンピュータに内蔵されたレコーディングソフトウェア、または、それに限定はされないが、所有権付きでその提供中に使用を許諾されることのあるソフトウェアを含む、その他のソフトウェアを使用して、主演アーチストガイドトラック／ステムに関する派生の個別オーディオファイルを作成（レコーディング）してもよい。
【００８６】
一部の態様において、オンラインレコーディングソフトウェアは、完全に異なるサーバ５３５を使用して、オーディオデータ５４０をレコーディングし、記憶することが可能であり、その間に、このオンラインレコーディングソフトウェアは、その特定のサーバを制御し５４３、それを指し示す該当領域を包含することになる。
【００８７】
メンバは、主演アーチスト、またはそのアーチストの管理者に対して、彼または彼女が、最終マスタへの編集において考慮対象パートを創作したこと通知するとともに５４５、最終マルチトラックマスタへの挿入を考慮するために、提出物を同期トラックと共に、主演アーチスト管理セクションに投稿することができる５５０。
【００８８】
主演アーチスト、またはその管理者は、各要求を評価して５５５、主演アーチスト管理者セクションに考慮済みパートを移動させるか、または最終マルチトラックマスタに挿入する可能性があるためにローカルワークステーションに、それをダウンロードするか５６０を決定することができる。
【００８９】
本明細書に記載するように、メンバのレコーディングは、供給された同期トラックを利用し、提出物をアーチストのガイドトラックに対して自動的に位置合わせをする、出発点を定義する。一部の態様においては、システム５６２は、所定の閾値レベル（例えば、通常、−０．５ｄＢ）より上のオーディオ提出物を自動的に却下して、提出者に通知を送付することが可能であり、これに対して、所定のレベル（例えば、通常、−４ｄＢ）より低いオーディオ提出物は、システム５６２内部で自動的に正規化される。
【００９０】
一部の態様においては、メンバは、提出物が、最終マルチトラックマスタに挿入することをさらに考慮するために、それぞれのメンバエリアから移動されたことの通知を受けとることができる５６５。この通知は、一部の態様においては、個人的とするか、または自動化することができる。アーチスト（単数または複数）の却下、評価、および選出の後に、主演アーチスト、またはその管理者は、最終マルチトラックマスタレコーディング５７５に対する全考慮済みパートの最終編集５７０を行うことができる。
【００９１】
本教示は、また、音楽作品における一般人の関心をまき起こす方法も対象としている。これらの態様においては、本方法は、それぞれが調整要素と位置合わせされている複数のオーディオトラックを含む、音楽作品用の参照ファイルを作成することを含むことができる。これらの態様において、本方法は、ランダムなバーチャル演奏者が、選出バーチャル演奏を含む派生的マルチトラック音楽作品に挿入するための、バーチャル演奏を提出する機会を公開提供することを含めることができる。前記の提供は、公共の場を介して、ランダムなバーチャル演奏者へ参照ファイルを供給することを含むことができる。
【００９２】
一部の態様において、公共の場は、テレビ放送、ラジオ放送、またはサテライト放送を含む。また、一部の態様において、場は、コンピュータネットワークによって設けることができるか、またはコンピュータネットワークに結合することができる。さらに、場は、一部の態様においては、ハンドヘルド型ワイヤレスデバイスによってアクセスすることができる。
【００９３】
そして、一部の態様においては、選出バーチャル演奏者は、考慮対象とされることができる。この考慮には、例えば、音楽作品の創作における人気アーチストなどの、成功を収めている音楽業界の専門家の営業権との提携、資金的な考慮、音楽業界における重要なコネへの実質的な接触、マーケティング関係先および経路、その他を含めることができる。
【００９４】
また、本教示は、人気アーチストとのバーチャル演奏を一般人から募集することを介して、音楽アーチストへの一般人の関心を創起する方法も対象とする。これらの態様において、本方法は、公共の場を介して人気アーチストへバーチャル提出を行う機会を、一般人に提供することによって、一般人からランダムな音楽演奏を大規模に引き寄せることを含むことができる。「大規模（mass scale）」という用語は、世界中、国中、州全域、市全域である募集を介して、組織グループ内から、またはその人の集団が大規模に募集できるだけの大きさでありさえすれば、単一の組織内から得られた、多数の提出物を意味することができる。一部の態様においては、大規模とは、１０００、５，０００、１０，０００、２０，０００、４０，０００、５０，０００、１００，０００、１，０００，０００、２，０００，０００、５，０００，０００、１０，０００，０００、２０，０００，０００、１００，０００，０００、またはそれを超える人、その中の任意の範囲に対して応募可能にされる、募集を含む。一部の態様においては、大規模とは、５，０００、１０，０００、２０，０００、４０，０００、５０，０００、１００，０００、１，０００，０００、１０，０００，０００、１００，０００，０００またはそれを超えるサーバ、またはその中の任意の範囲を有する１つまたは２つ以上のクラスタにわたって、単独または組合せで行われる募集を含む。
【００９５】
本明細書で提示される教示における、提供には、例えば、選出バーチャル演奏者として選ばれた場合には、人気アーチストとの音楽作品の創作を介して、その人気アーチストの営業権と提携することを含めてもよい。アーチストは、世界中、国中、州全域、市全域である領域において、組織グループ内から、または単一の組織内から「人気がある」とよい。「人気がある」という用語は、領域内で広く認められて、評判の良い個人、グループ、その他の実在を指すことができる。大規模に人気のあるアーチストは、その集団における人々の間で、広く認められて評判が良いことが必要である。
【００９６】
これらの教示は、また、音楽作品も対象としている。これらの態様において、音楽作品は、一般人からの一群のランダムなバーチャル演奏からの選出バーチャル演奏を含む、マルチトラック派生音楽作品とすることができる。前記の選出バーチャル演奏は、公共の場を介して人気アーチストにバーチャル提出を行う機会を一般人に提供することによって取得された、一般人からの大規模な音楽演奏の評価を含む工程から、取得することができる。これらの態様において、そのような提供することには、選出バーチャル演奏者として選ばれた場合には、人気アーチストとの音楽作品の創作を介して、その人気アーチストの営業権と提携することを含めることができる。前記の評価は、（ｉ）複数のオーディオトラック、および調整要素を含む、音楽作品用の参照ファイルを取得すること、および（ｉｉ）公共の場を介して、ランダムなバーチャル演奏者に参照ファイルを供給すること、を含む工程を含むことができる。そして、マルチトラック派生音楽作品を、本明細書に記述したように展開することができる。
【００９７】
図６は、一部の態様において、バーチャルスタジオ用にネットワークをどのように使用するかを示す図である。図６は、セルラーネットワークや関係するセルラーデバイスと一緒に、インターネットのようなネットワーク６０５を介して互いに結合された、数個のコンピュータシステムを示している。「インターネット」という用語は、本明細書において使用するときには、ＴＣＰ／ＩＰプロトコルなどの特定のプロトコル、および場合によっては、ワールド・ワイド・ウェブ（ウェブ）を構成するハイパーテキストマークアップ言語（ＨＴＴＰ）文書用のハイパーテキスト転送プロトコル（ＨＴＴＰ）などの、その他のプロトコルを使用する、ネットワーク同士のネットワークを指している。インターネットの物理的接続、およびインターネットのプロトコルおよび通信手順は、当業者には周知である。
【００９８】
インターネット６０５へのアクセスは、通常、ＩＳＰ６１０および６１５などの、インターネットサービスプロバイダ（ＩＳＰ）によって提供される。コンピュータシステム６３０、６５０および６６０などのクライアントシステムのユーザは、ＩＳＰ６１０および６１５などのインターネットサービスプロバイダを介して、インターネットへのアクセスを取得する。インターネットへのアクセスによって、クライアントコンピュータシステムのユーザは、情報を交換し、電子メイルを送受信し、例えば、ＨＴＭＬフォーマットで作成されている文書などの、文書を閲覧することが可能になる。これらの文書は、インターネット「上」にあると考えられる、ウェブサーバ６２０などの、ウェブサーバによって提供されることが多い。これらのウェブサーバは、ＩＳＰ６１０などのＩＳＰによって提供されることが多いが、コンピュータシステムは、そのシステムもＩＳＰとすることなしに、インターネットに設定、接続することができる。
【００９９】
一部の態様においては、本システムは、ウェブ対応アプリケーションであり、例えば、ハイパーテキスト転送プロトコル（ＨＴＴＰ）および「セキュア・ソケット・レイヤ」上ハイパーテキスト転送プロトコル（ＨＴＴＰＳ）を使用することができる。これらのプロトコルは、ＡＪＡＸ、Ｍａｃｒｏｍｅｄｉａ  Ｆｌａｓｈなどのウェブ２．０テクノロジを利用することによって、エンドユーザに対して豊富な体験を提供する。一部の態様においては、本システムは、Ｉｎｔｅｒｎｅｔ  Ｅｘｐｌｏｒｅ、Ｍｏｘｉｌｌａ  Ｆｉｒｅｆｏｘ、Ｏｐｅｒａ、Ｓａｆａｒｉ、その他のような、インターネットブラウザと互換性がある。一部の態様においては、本システムは、ＩＰＨＯＮＥ、ＰＯＣＫＥＴ  ＰＣ、ＭＩＣＲＯＳＯＦＴ  ＳＵＲＦＡＣＥ、ビデオゲームコンソール、その他のような、ＨＴＴＰ／ＨＴＴＰＳ完全サポートを有するモバイルデバイスと互換性がある。その他として、例えば、ＩＰＡＤおよびＩＴＯＵＣＨデバイスを含めてもよい。一部の態様において、本システムには、ワイヤレス・アプリケーション・プロトコル（ＷＡＰ）を使用してアクセスすることができる。
【０１００】
このプロトコルは、Ｃｅｌｌ  Ｐｈｏｎｅ、ＢＬＡＣＫＢＥＲＲＹデバイス、その他のような、ＨＴＴＰ対応モバイルデバイスに対応して、簡略なインターフェイスを提供する。プロトコル制約のために、Ｆｌａｓｈアニメーションは無効化されて、テキスト／グラフィックメニューと置き換えられる。一部の態様においては、本システムには、シンプル・オブジェクト・アクセス・プロトコル（ＳＯＡＰ）および拡張マークアップ言語（ＸＭＬ）を使用してアクセスすることができる。ＳＯＡＰおよびＸＭＬを介してデータを公表することによって、本システムは、第３者に対するフレキシビリティと、本システムのコアデータベースを検索してそれと対話する、カスタム化されたアプリケーションとを提供する。例えば、カスタムアプリケーションを、ＡＰＰＬＥデバイス、Ｊａｖａ（登録商標）またはＮｅｔ対応プラットフォーム、その他の上でネイティブに実行されるように開発することもできる。当業者は、本システムは、上記で考察したプラットフォームのいずれにも限定されるものではなく、それらのプラットフォームの発達に伴って、新規なプラットフォームに適応できることを理解するであろう。
【０１０１】
ウェブサーバ６２０は、通常、サーバコンピュータシステムとして動作する、少なくとも１つのコンピュータシステムであり、ワールド・ワイド・ウェブのプロトコルで動作するように構成されて、インターネットに結合されている。任意選択で、ウェブサーバ６２０は、クライアントシステムに対してインターネットへのアクセスを提供する、ＩＳＰの一部とすることができる。ウェブサーバ６２０は、サーバコンピュータシステム６２５に結合されているのが示されており、このサーバコンピュータシステム６２５自体は、メディアデータベースの形態であると考えることのできる、ウェブコンテンツ６９５に結合されている。２つのコンピュータシステム６２０および６２５が図６に示されているが、ウェブサーバシステム６２０およびサーバコンピュータシステム６２５は、１つのコンピュータシステムとして、このコンピュータシステムに、ウェブサーバ機能と、以下にさらに説明するサーバコンピュータシステム６２５によって提供されるサーバ機能とを提供する、異なるソフトウェア構成要素を備えることができる。
【０１０２】
セルラーネットワークインターフェイス６４３は、一方で、セルラーネットワークと、対応するセルラーデバイス６４４、６４６および６４８との間の、他方でネットワーク６０５とのインターフェイスを提供する。このように、セルラーデバイス６４４、６４６および６４８は、セルラー電話、双方向ポケットベル、パーソナルディジタルアシスタンツまたはその他の類似のデバイスを含む、個人用デバイスとしてもよく、ネットワーク６０５と接続して、例えば、電子メイル、コンテンツ、またはＨＴＴＰフォーマットデータなどの、情報を交換してもよい。セルラーネットワークインターフェイス６４３は、モデムインターフェイス６４５を介してネットワーク６０５と通信する、コンピュータ６４０に結合されている。コンピュータ６４０は、パーソナルコンピュータ、サーバコンピュータ、またはその他としてもよく、ゲートウェイとしての役割を果たす。すなわち、コンピュータ６４０は、例えば、クライアントコンピュータ６５０および６６０と、またはゲートウェイコンピュータ６７５と類似としてもよい。次いで、インターフェイス６４３、コンピュータ６４０およびモデム６４５によって提供される接続を介して、ソフトウェアまたはコンテンツをアップロードまたはダウンロードしてもよい。
【０１０３】
クライアントコンピュータシステム６３０、６５０および６６０は、それぞれ、適当なウェブブラウジングソフトウェアを用いて、ウェブサーバ６２０によって提供されるＨＴＭＬページを閲覧することができる。ＩＳＰ６１０は、クライアントコンピュータシステム６３０に対して、クライアントコンピュータシステム６３０の一部と考えることのできるモデムインターフェイス６３５を介して、インターネット接続を提供する。クライアントコンピュータシステムは、例えば、パーソナルコンピュータシステム、ネットワークコンピュータ、ウェブＴＶシステム、またはその他のそうようなコンピュータシステムとすることができる。
【０１０４】
同様に、ＩＳＰ６１５は、クライアントシステム６５０および６６０に対するインターネット接続を提供するが、図６に示すように、この接続は、より直接的に接続されたコンピュータシステムに対するものと同様ではない。クライアントコンピュータシステム６５０および６６０は、ゲートウェイコンピュータ６７５を介して結合されたＬＡＮの一部である。図６は、インターフェイス６３５および６４５を総称的に「モデム」として示しているが、これらのインターフェイスのそれぞれは、アナログモデム、ＩＳＤＮモデム、ケーブルモデム、衛星通信インターフェイス（例えば、「ダイレクトＰＣ」）、またはコンピュータシステムを他のコンピュータシステムに結合するための、その他のインターフェイスとすることができる。
【０１０５】
クライアントコンピュータシステム６５０および６６０は、ネットワークインターフェイス６５５および６６５を介して、ＬＡＮ６７０結合されており、このネットワークインターフェイス６５５および６６５は、イーサネット（登録商標）ネットワークインターフェイスまたはその他のネットワークインターフェイスとすることができる。ＬＡＮ６７０は、また、ゲートウェイコンピュータシステム６７５とも結合されており、このゲートウェイコンピュータシステム６７５は、ローカルエリアネットワークに対して、ファイアウォールおよびその他のインターネット関係サービスを提供することができる。このゲートウェイコンピュータ６７５は、ＩＳＰ６１５に結合されて、クライアントコンピュータシステム６５０および６６０にインターネット接続を提供する。ゲートウェイコンピュータ６７５は、従来型サーバコンピュータシステムとすることができる。また、ウェブサーバシステム６２０は、従来型のサーバコンピュータシステムとすることができる。
【０１０６】
代替的に、サーバコンピュータシステム６８０は、ネットワークインターフェイス６８５を介してＬＡＮ６７０に直接的に結合して、ゲートウェイシステム６７５を介してインターネットに接続する必要なしに、ファイル６９０およびその他のサービスをクライアント６５０、６６０に提供することができる。
【０１０７】
そのようなネットワークの使用を介して、例えば、本システムは、ソーシャルネットワーキングの要素を提供することも可能であり、それによってユーザは、類似の本人プロフィールを有する他のユーザと接触することが可能であり、またはユーザは、社会における誰とでも接触して、個人化された情報を転送することが可能である。一部の態様においては、本システムは、電子メイル、ＳＭＳ、およびその他の媒体を介して通知を配信する動作の可能な、メッセージングモジュールを含むことができる。一部の態様において、本システムには、携帯型の単一ユニットデバイスを介してアクセス可能であり、そして、一部の態様においては、入力装置、グラフィックユーザインターフェイス、または両方が、携帯型の単一ユニットデバイスを介して提供される。一部の態様においては、携帯型の単一ユニットデバイスは、ハンドヘルド型デバイスである。
【０１０８】
任意の形態の芸術が本スタジオの対象であり得るので、提示される情報に関わりなく、本システムは、芸術的情報プールのより広い概念を例証するものである。
本システムは、１つまたは２つ以上の源から抽出された、膨大な量の芸術的情報を、情報のコンテンツに関わりなく、情報の個人化された提示に統合することが可能であり、例えば、任意の著作権取得可能な表現を、本スタジオの対象とすることができる。本システムは、また、多段階方式で、個人用に情報を組織化して、その情報を理解し易いフォーマットで表示し、次いで、その情報を最適化して、様々な小トピックスが個人化され相互に関連づけられるようにすることも可能である。
【０１０９】
この情報は、１つの集合にして提示するか、または情報階層の第１層において多数の集合に分解することができる。情報は、例えば、先に配設されたテンプレート化された質問票を使用して、アーチストの市場において関心のある主題について収集することが可能であり、質問事項への回答は、応答プールに蓄積される。そのような質問票は、例えば、人口統計、活動調査、および特定の芸術において一般的であるその他の質問とすることができる。どれかの応答によって、より多くの質問事項を引き起こしてもよい。ユーザは、また、インターフェイス、色、言語、通知、その他を選択するなどして、本システムをカスタマイズすることもできる。
【０１１０】
本システムは、情報が扱い易い下位部分として同化しやすいように、情報を集合および部分集合に階層化することによって、特定の芸術における学習を強化することができる。ユーザは、個人化された方法でユーザに情報を提示する視覚ディスプレイをカスタマイズするために、本システムに選好を入力することができる。そして、本システムは、従来式の情報収集技法によっていれば、ユーザに発見されなかったであろう、刺激的な情報を、バーチャルスタジオだけに限って、提供することによって学習を強化することもできる。本システムは、知覚運動経験を提供することによって、学習を強化できるとともに、単に、テキスト表示、またはおそらくは図または絵に限定されたディスプレイなどの、単一媒体上で情報を提供するのではなく、ユーザに対してマルチメディア対話を提供することができる。一部の態様においては、マルチメディア対話は、テキストとビデオ；音声と図形、写真、または画像；音声；およびビデオの内の１種または２種以上を含む。
【０１１１】
本システムおよびその情報データベースは、一部の態様において、ユーザに対して価値のある様々な情報の任意の組織化された集合を含む、様々なシステムライブラリの任意のものを含むこともできる。さらに、外部データ源から情報を取得することも可能であり、それによって、プラグインやＡＰＩを、第３者パーティシステムとの統合を可能にしたり、外部データ源とデータ交換したりするように設計することができる。外部データ源は、オンデマンドで情報を提供するか、システムライブラリに記憶された既存の情報を更新するか、またはその両方を行うのに使用することができる。
【０１１２】
一部の態様においては、本システムは、ユーザ用のコンテンツを作成して最適化する動作の可能なエンジンを含む。このエンジンは、その他のモジュールからの情報、それに加えて例えば、管理者およびユーザ対話からの人による入力を統合することができるとともに、ユーザに対する最適化された提示を生成する。一部の態様においては、このエンジンは、継続する使用を通してユーザについて学習することが可能であり、データ収集のアルゴリズムや方法が、例えば、ユーザのタイプや選択および回答の頻度と相関するように修正される。選択と回答の間の関係は、一部の態様においては、本人プロフィールと合致するように構造化することができる。これらの態様においては、このエンジンは、所有権付き市販のルールおよびアルゴリズムから出発して、これらのルールおよびアルゴリズムが、システムが情報を収集して、ユーザおよびその対話から学習するに伴って、改善され続ける。したがって、本スタジオは、マーケティングデータに対する独自の洞察を提供する能力を得ることができる。
【０１１３】
本教示のいくつかの部分は、システムの動作について提示される。これらの動作は、有用な製品が生成されることになる、物理量の物理的操作、すなわち事態の変換、を必要とするものである。通常は、必須ではないが、これらの量は、記憶、転送、結合、比較、およびその他の操作が可能な、データの形態をとる。主として共通使用という理由で、これらの信号をビット、値、要素、記号、文字、用語、数字、その他で参照することが、時には便利であることがわかっている。これら、および類似の用語のすべては、適当な物理量と関連づけられるものであり、これらの量に付加される便利なラベルにすぎない。別途、具体的に断らない限り、「処理（processing）」、「演算（computing）」、「計算（calculating）」、「特定（determining）」、「表示（displaying）」、またはその他の用語を使用する考察は、コンピュータシステム、または類似の電子演算装置の動作およびプロセスを指しており、そのような電子演算装置は、コンピュータシステムのレジスタおよびメモリ内部の物理（電子）量として表わされるデータを操作して、コンピュータシステムメモリまたはレジスタ内部、またはその他のそのような情報記憶装置、伝送または表示装置内部の物理量として同様に表わされる、その他のデータに変換するものである。
【０１１４】
さらに、本教示は、本明細書における動作を実行するためのシステムに関係する。このシステムは、要求される目的に対してのみ設計された装置として専用に構築するか、またはコンピュータ内に記憶されたコンピュータプログラムによって選択的に起動されるか、または再構成される、汎用コンピュータを備えてもよい。そのようなコンピュータプログラムはコンピュータ可読記憶媒体に記憶してもよく、そのようなコンピュータ可読記憶媒体としては、それに限定はされないが、フロッピー（登録商標）ディスク、光ディスク、ＣＤ‐ＲＯＭ、および光磁気ディスクを含む、任意の種類のディスク、読取り専用メモリ（ＲＯＭ）、ランダムアクセスメモリ（ＲＡＭ）、ＥＰＲＯＭ、ＥＥＰＲＯＭ、磁気式もしくは光学式カード、または電子解説書を記憶するのに適しており、それぞれがコンピュータシステムバスに結合された、任意の種類の媒体がある。しかしながら、本教示は、媒体およびアプリケーションの全部ではなくても、一部がクラウド内で利用可能であり、遠隔場所または装置からユーザによって、単にアクセスされるという、クラウド環境におけるコンピューティングを含むことを理解されたい。同様に、媒体およびアプリケーションの全部または一部は、例えば、インターネット帯域またはクラウドシステムとは独立に動作するファイルとして入手して、ユーザまたは評価者によって遠隔式に、私的に、かつローカル式に操作しることが可能である。
【０１１５】
また、本明細書において提示する方法およびディスプレイは、一部の態様においては、特に断らない限りは、いかなる特定のコンピュータまたはその他の装置と本質的に関係していないことを理解されたい。様々な汎用システムを本明細書における教示に従うプログラムに使用してもよく、または一部の態様の方法を実行するために専用装置を構築するのが便利なこともある。多様性のあるこれらのシステムに対して要求される構造は、本明細書における教示から、当業者には明白となるであろう。さらに、これらの技法は、いかなる特定のプログラム言語をも基準として記述されておらず、したがって様々な態様を、多様なプログラム言語を使用して実現することができる。したがって、上述の用語および実施例は、説明のためだけのものであり、限定を目的とするものではなく、本明細書において使用するときには、「態様（embodiment）」の用語は、例としてであって、限定ではなく説明の役割を果たす具体化されたものを意味している。以下の実施例は、本発明のユーザを説明するものである。ここで、これらの実施例は、説明のためのものであり、本発明の限定として考えるべきではないということを理解されたい。
【０１１６】
実施例１  一般人からの選出バーチャル演奏を含む、派生的マルチトラック音楽作品の制作
最初に、我々は、インターネットフォーラムwww.thepublicrecord.com（THE PUBLIC RECORD（ＴＰＲ）のウェブサイト）を創設することによって、潜在的な貢献者の関心を引きつけた。人気アーチストからそれぞれの潜在的貢献者へ、提出者が一緒に演奏して派生トラックを創作することのできる「参照ファイル」Tommy Lee and Methods of Mayhemによるオリジナル音楽作品供給した。参加者は、アーチスト参照ファイルと参加者派生トラックを結合する、ユーザ参照ミックストラックを作成した。このユーザ参照ミックスは、分離されたユーザ派生トラックと共に、www.thepublicrecord.com（ＴＰＲウェブサイト）に提出された。
【０１１７】
全世界の提出者から、約１００００の提出物を受領した。各参加者は、ユーザの参照ミックスファイルおよび分離ファイルを含む、２つ以上のファイルを提出した。約１００００の提出物の内、最初の削減で、５００に絞った。この５００の内から、分離されたユーザファイルのそれぞれを、参照ファイルと合わせて専門技術的に編集する特別工程を実施することによって選出を支援して、トップ１００まで絞り込んだ。最終的に、選出されたものは、派生的マルチトラック音楽作品、すなわち人気アーチストによるオリジナル音楽作品の専門技術的にミックスされた派生品に含められた。この作品は、音楽制作の歴史において、この種のレコーディングの最初となった。
【０１１８】
なお、各提出者に供給される参照ファイルは、通常、ドラム、バス、ギター、およびボーカルなどの、４つの参照トラック（ステム）を含むことに留意されたい。しかしながら、一部の態様においては、マルチトラックマスタレコーディングから各トラックを除去することができるので、いずれのトラックも除去可能であり、任意のパートを再生することが可能である。例えば、ギタートラックを除去して、バーチャル演奏者が、オリジナル参照ファイルに設けられたオリジナルのリード部と重なることなく、リードギターとして演奏できるにようにすることができる。通常、ダウンロードにおいては、すべての参照ファイルは結合されているが、一部のアプリケーションに対しては、ステムの全セットの一部だけがダウンロードされる、カスタムダウンロードが利用可能である。
【０１１９】
実施例２  多数のバーチャル提出物の評価に伴う技術的な課題への対応
世界的に有名はアーチストは、自分たちの未完成のトラックを一般大衆に大規模に利用可能にして、商業販売用のマルチトラックマスタの創作のためのレコーディング工程に参加させるということはなかった。この工程に付随する技術的問題は、この手順を外見上は動作不能にする可能性があり、それは、少なくとも本明細書で提供される教示を使用して解決することのできる問題である。
【０１２０】
世界的に有名なアーチストからの解説集および未完成オーディオトラックと、多数のバーチャル提出を取得してスクリーニングするネットワークとを利用して、マルチトラックレコーディングを継続して創作する方法を展開および使用することは、多数の管理上および技術上の問題を提起する。これは、このスクリーニング工程には、（正しい同期、音質、およびオーディオレベルのための）技術的な許容性のいくつかの標準、これに加えてピッチ／チューニング、タイミング／リズム精度、音符選択／所定スケールまたはキー、および音調／音質のための可変許容値を含むことのできる、「アーチスト／評価者」による解説集として与えられる管理基準、を考慮することを含まれる可能性があるからである。これらの問題は、解消されない場合には、特に、プロセスが大規模で実行されるときに、動作不能のプロセス、または少なくとも、実用的でないプロセスとなることがわかっていた。
【０１２１】
例えば、１つの問題は、同期、従来よりレコーディングスタジオにおいて、専門職によってリアルタイムで取り扱われてきたレコーディング工程における一ステップに関係する。解決策には、アーチストとの対話がリアルタイムではない、バーチャル環境におけるオーディオファイルを同期させる方法を見出すことが必要であった。そのようなわけで、主要な技術的な問題には、多数の異なるプラットフォームおよびソフトウェアパッケージから提出される、多数のレコーディングされたオーディオ提出物の同期を取り扱うことに関係した。ユーザに、アーチストガイドトラック（ステム）と共に、ダウンロード可能なテンポマップを提供するために、同期方法が開発された。このようなわけで、一つの態様は、様々な媒体を介して放送される一式の具体的な説明を含む、ガイドトラック（ステム）をダウンロードするステップと、前記解説に従うことによって基準に合致するユーザ提出物をアップロードするステップと、を含めることによる、同期方法を取り扱う。
【０１２２】
例えば、メトロノームトラックまたは「クリックトラック」などの同期トラックが使用された。同期トラックは、提出物をアーチストのガイドトラックに位置合わせするのに使用される基準点を定義した。クリックトラックは、主演アーチストによって提供される、参照ファイルの上から下まで続いた。
【０１２３】
第２の技術的課題は、時間のかかる人による評価にあいまって、多数の提出物によって評価工程が動作不能になるか、または少なくとも実際的ではなくなる可能があったために、評価時間を低減するという問題を解決することであった。最も正常な提出物の分布を考慮しても、かなりの割合の受容できない提出物が予想できる。例えば、提出物のオーディオレベルが異なることが、一部の提出物において問題となることが分かった。所定の閾値レベル（通常、例えば−０．５ｄＢ）より上のオーディオ提出物を却下する自動システムを使用して、スクリーニング時間を低減することができる。そのようなシステムは、通知を発生させて、提出者に送付することもできる。所定の閾値レベル（例えば、通常−４ｄＢ）より低いオーディオ提出物は、システム内部で自動正規化を行う能力があり、自動スクリーニングシステムによるそのようなファイルを識別することによっても、スクリーニング時間を低減することができる。
【０１２４】
実施例３  ユーザに対する技術ガイダンス
バーチャルスタジオを、実際的であるのはいうまでもなく、そのような大規模で動作させることを可能にするのを支援する、バーチャルスタジオの一観点は、ユーザに提供されるガイダンスである。システムの動作においてユーザに提供される技術ガイダンスによって、一般人からの選出バーチャル演奏の受領、選択、および派生的マルチトラック音楽作品中への変換の工程を成功させることができる。そして、派生作品を、公共部門において市販することができる、高度に専門職的な品質のものとすることができる。以下は、この工程をユーザに対して実施する方法の例である。
【０１２５】
公開提供に注意：ＴＰＲポータルを立ち上げ、主演アーチスト表示または主演アーチストメニューからアーチストを選択する。選択されたアーチストページに入ると、詳細な解説および音楽の方向についてのプロジェクト概要ビデオを見て、参加したいかどうかを決める。
【０１２６】
参加に興味がある場合：
【０１２７】
ダウンロードガイドトラックと題するメニューアイテム、タブまたはボタンを選択して、適当な楽曲についてのボタンを押す。すると次いで、ユーザダウンロード同意書にサインするように促される、その条件項目に同意したときには、「ｏｋ」または「実行（submit）」を押す。
【０１２８】
自分が使用しようとする、マルチトラックオーディオソフトウェアに関係する、好ましいファイルフォーマットを選択する。人気のあるソフトウェアタイトルには、ＤＩＧＩＤＥＳＩＧＮ  ＰＲＯＴＯＯＬＳ、  ＡＰＰＬＥ  ＧＡＲＡＧＥ  ＢＡＮＤ、ＲＩＦＦＷＯＲＫＳ、その他がある。これらのソフトウェアタイトルのいずれもが、自分のオーディオ演奏を自分のローカルコンピュータ上でディジタル式にレコーディングする手段を提供することができる。これらのタイトルのいずれか、およびそれ以外を、当業者には知られている様々な場所で購入が可能であり、例えば、http://pro-audio.musiciansfriend.com/softwareを参照されたい。次に、適当なダウンロードボタンを押して、以下のものの転送を開始する。
ａ）ガイドトラック／ステム；および
ｂ）クリックトラックまたはメトロノームトラック（同期トラック）。クリックまたはメトロニームトラックは、常にガイドトラック／ステムと一緒に含まれている。これは任意選択ではなく、同期を検査するために、ユーザの分離アップロードまたはソロアップロード提出に挿入することが必須である；ならびに
ｃ）その他の重要な情報を含む、テキストファイル。
【０１２９】
これで、ガイドトラック／ステムをダウンロードしたことになり、自分のダウンロードフォルダ、または自分のローカルコンピュータ上のブラウザダウンロード選好に自分が指定した、その他任意のフォルダ内に、ファイルが存在することになる。ローカルコンピュータ上で、
ａ）上記のような自分の好むマルチトラックディジタルオーディオソフトウェアを開く、そして
ｂ）ダウンロードされたガイドトラック／ステムまたはフォーマット済みセッションをインポートする。
ｉ）フォーマット済みセッションを開くと、ガイドトラック／ステムのすべて、およびクリックトラックまたはメトロノームトラック（同期トラック）が、ファイル内に内蔵されることになる、楽曲のテンポ情報を含むソフトウェアにおいて、開くことになる。
ｃ）サポートされていないファイルフォーマットにおいて新しいセッションをセットアップして、（ｉ）ｒａｗオーディオファイルおよび（ｉｉ）クリックトラックまたはメトロノームトラック（ステム）をインポートしている場合には、楽曲テンポ情報についての添付のテキストファイルを参照して、この情報を自分のソフトウェアのセットテンポオプションに入力する。クリックトラックまたはメトロノームトラック（同期トラック）がソフトウェアと同期していることを検証する。これは、ソフトウェアのメトロノーム機能をオンにして、それが、インポートされたクリックトラックまたはメトロノームトラック（同期トラック）と同期されていることを確認することによって達成される。
【０１３０】
ｉ）クリックトラックまたはメトロノームトラック（同期トラック）をハイライトして、自分のオンスクリーン編集ツールを使用して、楽曲が始まる前にカウントオフを選択して、その後に続くものをすべて除去する。これによって、ユーザには、オリジナルのクリックトラックまたはメトロノームトラック（同期トラック）から抽出されたカウントオフだけが残される。
ｄ）これで、自分のローカルコンピュータ上でレコーディング工程を始めるのに必要なすべてのものを入手したはずである。
ｅ）望むだけ多くの派生トラックをレコーディングする（これが、自分のアイデアをレコーディングできる場所である）、
ｆ）自分の派生トラックのレコーディングを終了すると、アップロードと提出工程を始めることができる：
ｉ）好ましいファイルフォーマット（例えば、ｍｐ３、ｗａｖ、ａｉｆｆ）を選択する、そして
ｉｉ）ダウンロードされたガイドトラック／ステム（ユーザ・ミックス・トラック）と結合させたユーザ派生トラックをエクスポートする。エクスポート・ツー・ディスク（Export to disk）機能またはバウンス・ツー・ディスク（bounce to disk）機能を使用して、自分のローカルハードドライブ上にオーディオファイルのコピー（ユーザ・ミックス・トラック）を作成する。
【０１３１】
ｉｉｉ）編集されたカウントオフクリックトラックまたはメトロノームトラック（同期トラック）と結合された、分離されたユーザ派生トラックをエクスポートする。エクスポート・ツー・ディスク機能またはバウンス・ツー・ディスク機能を使用して、自分のローカルハードドライブ上にオーディオファイル（ユーザ・ソロ・トラック）のコピーを作成する。以下のステップを、すべての個別ソロ派生トラックに対して必要なだけ繰り返す。
ｉｖ）ＴＰＲポータルを立ち上げて、主演アーチストページに戻る；そして
ｖ）アップロード提出メニューアイテム、タブまたはボタンを選択して、オーディを選ぶ。
ｖｉ）ユーザアップロード同意書に記入して、「ok」または「submit」を押す。
ｖｉｉ）プルダウンメニューから適当な楽曲を選択し、ノートと題するフィールドに自分の提出物の説明をタイプする。
ｖｉｉｉ）ミックストラックボックスに関係するブラウスボタンを押して、自分のローカルコンピュータから自分のミックスオーディオトラックを選択し、「ok」を押す。ソロトラックボックスに関係するブラウスボタンを押して、自分のローカルコンピュータから自分のソロオーディオファイルを選択して、「ok」を押す。
【０１３２】
ｉｘ）すべての追加のソロ・オーディオトラックに対して必要なだけ繰り返す。自分が提出することのできるトラックの数には、現在は制限がない。
ｘ）すべてのファイルが選択された後に、アップロードボタンを押して、自分のオーディオトラック提出を完了する。
【０１３３】
実施例４  評価者に対する技術ガイダンス
評価者は、例えば、提出された派生オーディオトラックをスクリーニング／審査／聴取して選出するのに任命された、主演アーチストまたは主演アーチストの代理人としてもよい。評価者は、そのような選出されたトラックを、マスターレコーディングに挿入するのに利用してもよい。以下は、評価者に対して、この工程を実施する方法の例である。
【０１３４】
提出されたトラックを評価することに関心がある場合
ａ）ＴＰＲポータルを立ち上げ、ＴＰＲ担当者によって主演アーチストのために先に作成された、主演アーチストプロフィールにロングインする。
ｂ）認可された管理領域またはポータルに入るのに、評価者は、ログインされている間に、各ページの上部に現れる、マイアカウントリンクをクリックする。
ｃ）次いで、「主演アーチスト管理」が選択されて、これによって、管理エリア（Administration Area）またはポータルに入ることができる。
ｄ）提出されたオーディオトラックを評価するためには、主演アーチストは、「提出物を評価する」リンクを起動する。
【０１３５】
提出物の編成／分類
ａ）マスタリスト作成（MASTER LISTING）：提出された全派生オーディオトラックのリストが表示されて、具体的には提出ＩＤ＃、ユーザ名、楽曲名、提出者指示および注意、提出の日時を示す。
ｂ）カテゴリリンク（CATEGORY LINKS）：さらに、このリストは、ユーザ名、曲名、楽器、および提出日時によって、分類することができる。
派生オーディオ提出物リスト上の各エントリは、いかなる第３者マルチトラックディジタルオーディオソフトウェアからも独立に、２つのアップロードされたファイル（編集されたクリック／メトロノーム／同期トラックを備えるソロ派生オーディオトラック、およびミックス派生オーディオトラック）のそれぞれを評価するためのリンクを有する。
ｃ）評価ツール（REVIEW TOOLS）：ミックス派生オーディオトラックのそれぞれを評価する間に、評価者は、事前設定された状態：未知、提出済み（デフォールト）、評価済み、選択済み、却下済み、または付箋付きの一つを指定することによって、各提出物の状態を指示してもよい。
これらの状態の区別は、管理者／評価者参照のためだけのものであり、ＴＰＲポータル上のメンバまたは提出者には表示されない。
ｄ）ユーザ分類（USER SORT）：リストにおける多数提出物は、ページの上部の「状態」見出しをクリックすることによって、これらのユーザ定義区別を一緒にグループ化することにより、分類することもできる。
【０１３６】
すべての提出物が評価されて、「状態」指定を与えられると、評価者は、ＴＰＲアーチスト管理エリア／ポータルの外部で使用するために、選出された派生オーディオトラックをダウンロードすることを決めてもよい。
ａ）ＴＰＲサーバから評価者のローカルコンピュータへと転送する準備のために、それぞれの好みの提出物を、チェックボックスを介して選択することができる。アップロード工程において、提出番号参照、楽曲名およびユーザ名データ（提出の種類を示す、「ソロ」または「ミックス」のテキストと合わせて）で自動的に名前の付けられた、選出された派生オーディオトラックは、圧縮されたフォルダにコピーされて、評価者のローカルコンピュータダウンロードフォルダ（または、ダウンロードデータを保持するために、先に割り当てられたフォルダ）にダウンロードされる。
ｂ）さらに、評価者は、派生オーディオトラックの任意のものを消去することができるが、派生オーディオトラックのコピーが確認されるか、またはプロジェクトが完了するまで、それを行うことは推奨されない。
【０１３７】
好みの提出物のプレビュー：提出物の品質に対してコメントをするビデオにおいて、その派生オーディオトラックが最初に選択された提出者に、評価者がハイライトを当てることができる。このビデオは、主演アーチストのＴＰＲページにあるメディアプレイヤ上のDaily Videoタブの下でのコミュニティ閲覧用に投稿することができる。
【０１３８】
さらなる評価のために選出された提出物を実装：
ａ）ダウンロードされたファイルは、自分のダウンロードフォルダ、または自分のローカルコンピュータ上で選択物（preferences）をダウンロードするのにブラウザ内に割り当てた、その他任意のフォルダに常駐することになる。ダウンロードされたファイルは、解凍されて、評価者によって指定される場所にある複写解凍フォルダ中に自動的にコピーされる。ソロ・ファイル（soloed files）の選択された派生オーディオトラックは、評価者が選んだ評価者のディジタルオーディオ・マルチトラックソフトウェア中にインポートされる。
ｂ）ソロ派生オーディオトラックのそれぞれの始点の、内蔵された編集クリック／メトロノーム／参照は、正同期の視覚的および聴覚的の両方の確認を提供し、その結果として、派生オーディオトラックにレコーディンされた音楽コンテンツを、その他の提出されたソロ派生オーディオトラック、およびディジタルオーディオ・マルチトラックソフトウェア内にあるかもしれない、前から存在するオーディオファイルの文脈において聞くことができる。
【０１３９】
挿入の選択
ａ）評価者は、適当な派生オーディオトラック、または楽曲の最終マスターミックス中に挿入されることになるトラック、を選択するのに必要な時間をとることができる。
ｂ）複数の派生オーディオトラックは、一緒に合わせて編集するか、一緒に合わせてミキシングするか、または結合して、楽曲のマスターミックス中に挿入するための「コンポジット」トラック、または多数のコンポジットトラックを形成してもよい。
【０１４０】
挿入の通知
ａ）選出された派生オーディオトラックが、最終マスターレコーディングにおいて利用されることを確認すると、評価者は、派生オーディオトラックの提出者（そのユーザ名がオーディオファイル名に内蔵されている）のそれぞれに、その提出者の提出物が最終ミックス中に挿入するために選出されたことの通知を送付してもよい。このメッセージは、ＴＰＲ内部電子メイルシステムを介するか、または（ＴＰＲ担当者から入手することのできる）メンバ用電子メイルアドレスを使用して送付することができる。
ｂ）主演アーチストページにビデオが投稿されて、ＴＰＲコミュニティおよびその他のリンクされた社会メディアサイトに対して、ミックス挿入に対する公式選出が発表されることになる。
【０１４１】
実施例５  公共の場を介するバーチャルスタジオの使用
募集およびバーチャル提出は、インターネットベースとすることができる。しかしながら、その他の選択肢を使用して大衆に接触することができることを理解されたい。ネットワークは、例えば、それに限定はされないが、テレビジョン、ラジオ、衛星の各放送システムを含む、放送の場、またはそれが現実世界（brick-and-mortar）であれ、インターネット上であれ、小売店のネットワークなどの、別の公共の場を含むことができる。ネットワークは、また、バーチャル演奏を準備、演奏、そして提出することのできる、カレッジまたは大学システム、あるいはローカルバー、地域またはフランチャイズのクラブ、その他などのエンターテインメントの場とすることもできる。以下は、バーチャルスタジオの使用を含む、テレビ番組の例である。
【０１４２】
本明細書に記載されるときには、公共の場であるにもかかわらず、主演アーチストは、ＴＰＲサーバなどの１次サーバをバーチャルスタジオとして使用して、最終のマルチトラックマスタ用に考慮するためにアップロードされる、提出されたオーディオトラックを評価することができる。アーチストは、自分の好みの提出物を選出して、これらのファイルをダウンロードして、自分のローカルコンピュータのディジタルオーディオワークステーション上でオフラインで集めるか、またはＴＰＲサイト上の内蔵ソフトウェアを使用して、オーディオトラックを編集することができる。これらの選択肢の一方を使用して、アーチストは、オーディオ提出物全体、または特定のセクションを選出して、最終マルチトラックマスタを編集することができる。
【０１４３】
例えば、テレビジョンは、一般人からの提出に対する募集を行い、バーチャル演奏者に対するガイダンスを行い、主演アーチストにインタビューすることに加えて、選出バーチャル演奏者にインタビューして、提出物を評価して考察する、その他の場として、優れた公共の場としてのステータスを回復する可能性がある。例えば、１つの番組は「ＴＰＲテレビ」と呼んでもよく、有名なアーチスト、その作品、およびその選出演奏者をショーケースとして紹介することもできる。本明細における教示は、この方法を、実質的に任意の表現に応用して、誰もが、例えばＴＰＲインターネットポータルを介して、オーディオ、ビデオ、写真または芸術作品を提出する機会を提供できるようにする仕方について考察する。視聴者は、異なるジャンルの有名なアーチストが、自分たちが探しているタレントまたは参加者のタイプについてのガイドラインを提供するので、これらのアーチストを見守ることができる。
【０１４４】
一群のエピソードにおいては、例えば、有名なカントリースターが、バーチャル歌手に対して、選出バーチャル演奏者として選出されれば、自分とのデュエットをレコーディンする機会を提示してもよい。その著名人は、自分が探している歌手のタイプの概要を示して、ホストウェブサイトなどのインターネットポータルへ参加者を駆り立てて、オーディオファイルをダウンロードして、参加させることもできる。参加者は、ＴＶ番組への組み入れが考慮され、最終的には主演アーチストのレコード上で楽曲を市販するために、自分たちの演奏を提出することができる。そのＴＶ番組は、最も興味のある、または最良の提出物の一部にハイライトを当てて、上位ファイナリストは、例えば、スタジオに招待されてレコーディングし、かつ／またはファイナリストとして番組で主演する。選ばれた歌手は、最終エピソード、および楽曲の市販において、その人気アーチストと並んで主演することになり、選出バーチャル演奏者への大規模な公開と営業権が与えられる。
【図１】
2013542480.tif 000003
【図２】
2013542480.tif 000004
【図３】
2013542480.tif 000005
【図４】
2013542480.tif 000006
【図５】
2013542480.tif 000007
【図６】
2013542480.tif 000008
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
一般人からのバーチャル演奏を含む、派生的マルチトラック音楽作品を創作する方法であって、
それぞれが調整要素と位置合わせされている複数のオーディオトラックを含む、音楽作品用の参照ファイルを作成するステップ、
ネットワーク上で、ランダムなバーチャル演奏者に前記参照ファイルを供給するステップ、および
一般人からの選出バーチャル演奏を有する、前記派生的マルチトラック音楽作品を展開するステップであって、
一群のランダムなバーチャル演奏を前記ランダムなバーチャル演奏者から取得するサブステップであって、前記一群のバーチャル演奏における各バーチャル演奏が、（ｉ）前記参照ファイルの伴奏なしで、調整要素と位置合わせされて、派生トラックを演奏するバーチャル演奏者を有する派生トラック、および（ｉｉ）前記参照ファイルの伴奏付きの前記派生トラックを演奏する前記バーチャル演奏者を有する参照ミックストラックを含む、前記サブステップ、
前記一群のランダムなバーチャル演奏から前記選出バーチャル演奏を選択するサブステップ、および
前記選出バーチャル演奏を、前記派生的マルチトラック音楽作品に変換するサブステップを含む、
前記展開するステップを含み、
（ｉｉｉ）前記バーチャル演奏者によるランダムなバーチャル演奏を評価者に伝送することと、（ｉｖ）前記評価者により前記バーチャル演奏を評価することの間には遅延があり、該遅延は、ライブオーディオ伝送の送受信に関連する通常の遅延を実質的に超えるので、前記ランダムなバーチャル演奏はリアルタイム演奏ではない、前記方法。
【国際調査報告】
2013542480.tif 000009
2013542480.tif 000010